(57)【要約】【課題】確実にガイド部のガタ取りを行うことで撮像素子やレンズをスムーズに動かすことができ、傾きによる画像の劣化を防ぎ、また駆動手段の磁界への影響をなくすことを可能とする像振れ補正装置及び、該像振れ補正装置を用いた撮像装置を提供する。【解決手段】ＣＣＤ１０１が搭載されＹ方向移動の戴置ステージ１５と、Ｘ方向移動及び戴置ステージ１５の移動のためのステージとなるＹ方向ステージ１４と、カメラ本体に固定されるＹ方向ステージ１４の移動のステージとなるＸ方向ステージ１３とを備え、Ｘ方向ステージ１３にヨーク１６ｅ，１６ｆの延出部１６ｅ１，１６ｆ１を設け、戴置ステージ１５の該延出部に対向する位置に付勢マグネット１５ｅ，１５ｆを設けることにより、戴置ステージ１５を、戴置ステージ１５−Ｙ方向ステージ１４間、Ｙ方向ステージ１４−Ｘ方向ステージ１３間それぞれのガイド部とガイド支持部とが接触する方向に付勢する。【選択図】図２
2008051927.tif 000002
【特許請求の範囲】
【請求項１】
レンズまたは撮像素子を搭載しガイド部を有する可動枠と、該ガイド部と接触して可動枠を移動可能に支持するガイド支持部を有する固定枠とを備え、前記可動枠を駆動する駆動手段により該可動枠を前記固定枠に対して移動させて像振れ補正する像振れ補正装置であって、
前記固定枠は磁性体を有し、前記可動枠は、前記磁性体に対応する位置に、該磁性体との吸引力により、該可動枠を前記ガイド部とガイド支持部とが接触する方向に付勢する付勢マグネットを有することを特徴とする像振れ補正装置。
【請求項２】
前記付勢マグネットと磁性体の組合せが、前記レンズまたは撮像素子をはさんでその両側にそれぞれ配置されていることを特徴とする請求項1に記載の像振れ補正装置。
【請求項３】
前記駆動手段は、軟磁性材料からなるヨークと、該ヨークに固定された永久磁石と、コイルとからなるボイスコイルモータであって、前記磁性体は、前記ヨークを延長して形成されたものであることを特徴とする請求項1に記載の像振れ補正装置。
【請求項４】
前記駆動手段は、軟磁性材料からなるヨークと、該ヨークに固定された永久磁石と、コイルとからなるボイスコイルモータであって、前記付勢マグネットは、着磁の向きの異なる複数の永久磁石を前記駆動手段の永久磁石に対して平行に並べて配置したものであることを特徴とする請求項1に記載の像振れ補正装置。
【請求項５】
レンズまたは撮像素子を搭載し第１のガイド部を有する第１の可動枠と、該第１のガイド部と接触して第１の可動枠を移動可能に支持する第１のガイド支持部と第２のガイド部とを有する第２の可動枠と、該第２のガイド部と接触して第２の可動枠を移動可能に支持する第２のガイド支持部を有する固定枠とを備え、前記第１の可動枠と第２の可動枠を駆動する駆動手段により該第１の可動枠及び／又は第２の可動枠を前記固定枠に対して移動させて像振れ補正する像振れ補正装置であって、
前記固定枠は磁性体を有し、前記第１の可動枠は、前記磁性体に対応する位置に、該磁性体との吸引力により、前記第１の可動枠を前記第１のガイド部と第１のガイド支持部とが接触する方向に付勢するとともに、前記第２の可動枠を前記第２のガイド部と第２のガイド支持部とが接触する方向に付勢する付勢マグネットを有することを特徴とする像振れ補正装置。
【請求項６】
請求項１〜５のいずれか一に記載の像振れ補正装置を有することを特徴とする撮像装置。
【発明の詳細な説明】
【技術分野】
【０００１】
本発明は、像振れ補正装置及び該像振れ補正装置を備えた撮像装置に関するものである。
【背景技術】
【０００２】
従来から、撮像装置としてのデジタル撮像装置には手振れ補正機構を備えるものが知られている。特許文献１記載の撮像装置には、撮像素子としてのＣＣＤが、撮影光軸上でレンズ鏡筒を収容し本体ケースに取り付けられた固定筒の一端に設けられたＹ可動枠に搭載されている。Ｙ可動枠は、撮影光軸をＺ軸方向としてこれに垂直なＸ−Ｙ平面に沿って移動可能に案内ステージに保持されている。案内ステージは、本体ケース内で撮影光軸に対して固定され、Ｙ可動枠は、案内ステージ上で永久磁石及びこれに対向するコイルが形成する磁力により稼働される構造とすることで手振れ補正を行う機構が開示されている。この従来の撮像装置では、本体ケースに設けられた演算処理装置が、本体ケースに生じたＸ方向とＹ方向の傾きを検出し、この検出出力に基づいて、コイルへの通電電流を変化させることにより、手振れによる被写体の像の移動にＣＣＤを追従移動させる制御を行っている。
【０００３】
また、レンズや撮像素子の可動機構のガイドにガタがあると、スムーズな動きができず像振れ補正性能に影響を与え、また、ガタによりレンズや撮像素子が傾くと収差の増大や焦点ずれが生じて結像性能も劣化してしまうという問題点がある。そのために、特許文献２では駆動手段の永久磁石に対向する位置に磁性体を設け、引力によりガタ取りをすることで手振れ補正性能を高めた機構が開示されている。しかし、駆動手段の磁界中に磁性体を配置すると、駆動用のコイルに与える磁界の分布に影響を与え、駆動力の低下や、移動範囲内での駆動力変動の増大、不要な方向への駆動力の発生などを引き起こす恐れがある。また、可動枠を移動可能に支持する支持部に対して付勢する力がアンバランスになりやすく、確実にガタ取りが行えない可能性がある。
【０００４】
【特許文献１】特開２００４−２７４２４２号公報
【特許文献２】特許第３７２８０９４号公報
【発明の開示】
【発明が解決しようとする課題】
【０００５】
本発明は上記問題点を鑑みてなされたものであり、確実にガイド部のガタ取りを行うことで撮像素子やレンズをスムーズに動かすことができ、傾きによる画像の劣化を防ぎ、また駆動手段の磁界への影響をなくすことを可能とする像振れ補正装置及び、該像振れ補正装置を用いた撮像装置を提供することを目的とする。
【課題を解決するための手段】
【０００６】
前記課題を解決するために提供する本発明は、レンズまたは撮像素子を搭載しガイド部を有する可動枠と、該ガイド部と接触して可動枠を移動可能に支持するガイド支持部を有する固定枠とを備え、前記可動枠を駆動する駆動手段により該可動枠を前記固定枠に対して移動させて像振れ補正する像振れ補正装置であって、前記固定枠は磁性体を有し、前記可動枠は、前記磁性体に対応する位置に、該磁性体との吸引力により、該可動枠を前記ガイド部とガイド支持部とが接触する方向に付勢する付勢マグネットを有することを特徴とする像振れ補正装置である。
【０００７】
ここで、前記付勢マグネットと磁性体の組合せが、前記レンズまたは撮像素子をはさんでその両側にそれぞれ配置されていることが好ましい。
【０００８】
また、前記駆動手段は、軟磁性材料からなるヨークと、該ヨークに固定された永久磁石と、コイルとからなるボイスコイルモータであって、前記磁性体は、前記ヨークを延長して形成されたものであるとよい。
【０００９】
また、前記駆動手段は、軟磁性材料からなるヨークと、該ヨークに固定された永久磁石と、コイルとからなるボイスコイルモータであって、前記付勢マグネットは、着磁の向きの異なる複数の永久磁石を前記駆動手段の永久磁石に対して平行に並べて配置したものであることが好適である。
【００１０】
前記課題を解決するために提供する本発明は、レンズまたは撮像素子を搭載し第１のガイド部を有する第１の可動枠と、該第１のガイド部と接触して第１の可動枠を移動可能に支持する第１のガイド支持部と第２のガイド部とを有する第２の可動枠と、該第２のガイド部と接触して第２の可動枠を移動可能に支持する第２のガイド支持部を有する固定枠とを備え、前記第１の可動枠と第２の可動枠を駆動する駆動手段により該第１の可動枠及び／又は第２の可動枠を前記固定枠に対して移動させて像振れ補正する像振れ補正装置であって、前記固定枠は磁性体を有し、前記第１の可動枠は、前記磁性体に対応する位置に、該磁性体との吸引力により、前記第１の可動枠を前記第１のガイド部と第１のガイド支持部とが接触する方向に付勢するとともに、前記第２の可動枠を前記第２のガイド部と第２のガイド支持部とが接触する方向に付勢する付勢マグネットを有することを特徴とする像振れ補正装置である。
【００１１】
前記課題を解決するために提供する本発明は、請求項１〜５のいずれか一に記載の像振れ補正装置を有することを特徴とする撮像装置である。
【発明の効果】
【００１２】
請求項１の発明によれば、可動枠を駆動する駆動手段とは別に可動枠に付勢マグネット（永久磁石）を設け、固定枠の磁性体との間の吸引力で可動枠の移動の際のガイド部・ガイド支持部間のガタ取りをするので、駆動用のコイルに与える磁界の分布に影響を与えず、駆動力の低下や、移動範囲内での駆動力変動の増大、不要な方向への駆動力の発生などを引き起こすことがない。
また、請求項２の発明によれば、レンズまたは撮像素子をはさんで両側に付勢マグネットと磁性体の組合せを設けたので、可動枠にたいする付勢力に片寄りが生じないため確実に可動枠の移動の際のガイド部・ガイド支持部間のガタ取りをすることができる。
また、請求項３の発明によれば、磁性体を、駆動手段のボイスコイルモータのヨークを延長して形成したので、新たに磁性体部品を追加することなく可動枠の移動の際のガイド部・ガイド支持部間のガタ取り機能を付与することができる。
また、請求項４の発明によれば、付勢マグネットを、着磁の向きの異なる複数の永久磁石を前記駆動手段の永久磁石に対して平行に並べて配置したので、駆動マグネットである永久磁石に吸引または反発する力が働いて、駆動コイルで発生させる補正のために必要な力に余分にこの力が加わり、補正制御性能の悪化やコイルの消費電流の増加を招いてしまうことがなくなる。
請求項５の発明によれば、第１の可動枠を駆動する駆動手段とは別に該第１の可動枠に付勢マグネット（永久磁石）を設け、固定枠の磁性体との間の吸引力で第１の可動枠の移動の際の第１のガイド部・第１のガイド支持部間のガタ取りをするので、駆動用のコイルに与える磁界の分布に影響を与えず、駆動力の低下や、移動範囲内での駆動力変動の増大、不要な方向への駆動力の発生などを引き起こすことがない。また、第１の可動枠の付勢力を利用するので、第２の可動枠に新たな部品を追加することなく、第２の可動枠の移動の際の第２のガイド部・第２のガイド支持部間のガタ取りも行うことができる。
請求項６の発明によれば、可動枠（第１の可動枠及び第２の可動枠）の移動の際のガタ取りを行いつつ正常な駆動が可能な像振れ補正装置を備えているので、適正な像振れ補正が行われた像を得ることができる。
【発明を実施するための最良の形態】
【００１３】
以下に、本発明に係る像振れ補正装置について説明する。
本発明に係る像振れ補正装置は、レンズまたは撮像素子を搭載しガイド部を有する可動枠と、該ガイド部と接触して可動枠を移動可能に支持するガイド支持部を有する固定枠とを備え、前記可動枠を駆動する駆動手段により該可動枠を前記固定枠に対して移動させて像振れ補正する像振れ補正装置であって、前記固定枠は磁性体を有し、前記可動枠は、前記磁性体に対応する位置に、該磁性体との吸引力により、該可動枠を前記ガイド部とガイド支持部とが接触する方向に付勢する付勢マグネットを有することを特徴とするものである。さらに詳しくは、レンズまたは撮像素子を搭載し第１のガイド部を有する第１の可動枠と、該第１のガイド部と接触して第１の可動枠を移動可能に支持する第１のガイド支持部と第２のガイド部とを有する第２の可動枠と、該第２のガイド部と接触して第２の可動枠を移動可能に支持する第２のガイド支持部を有する固定枠とを備え、前記第１の可動枠と第２の可動枠を駆動する駆動手段により該第１の可動枠及び／又は第２の可動枠を前記固定枠に対して移動させて像振れ補正する像振れ補正装置であって、前記固定枠は磁性体を有し、前記第１の可動枠は、前記磁性体に対応する位置に、該磁性体との吸引力により、前記第１の可動枠を前記第１のガイド部と第１のガイド支持部とが接触する方向に付勢するとともに、前記第２の可動枠を前記第２のガイド部と第２のガイド支持部とが接触する方向に付勢する付勢マグネットを有することを特徴とするものである。
【００１４】
図１に、本発明に係る像振れ補正装置の構成例を示す。ここでは、撮像素子であるＣＣＤ（Ｃｈａｒｇｅ−Ｃｏｕｐｌｅｄ  Ｄｅｖｉｃｅ）を搭載した像振れ補正装置を示しており、図１はその分解斜視図である。図１では、後述する撮像装置（カメラ）において光軸方向となる方向をＺ方向とし、Ｚ軸を法線とする平面上の直交する２方向をそれぞれＸ方向、Ｙ方向としている。
【００１５】
本発明の像振れ補正装置は、ＣＣＤ１０１が搭載されＹ方向に移動するＹ可動枠（第１の可動枠）である戴置ステージ１５と、Ｘ方向に移動するＸ可動枠（第２の可動枠）であり戴置ステージ１５がＹ方向に移動するためのステージとなるＹ方向ステージ１４と、撮像装置の鏡胴本体に固定される固定枠でありＹ方向ステージ１４がＸ方向に移動するためのステージとなるＸ方向ステージ１３とを備えている。
【００１６】
Ｘ方向ステージ１３は、中央領域にＺ方向に貫通した穴を有する環枠形状の枠体であり、後述するカメラのベース部材１１に固定されるものである。このＸ方向ステージ１３には第２のガイド支持部として、Ｘ方向に延びる一対のガイド軸１３ａ、１３ｂがＹ方向に間隔を開けて設けられている。Ｘ方向ステージ１３には駆動マグネットとして、直方体形状の４個の永久磁石１６ａ，１６ｂ，１６ｃ，１６ｄが配置されている。この４個の永久磁石１６ａ〜１６ｄは二個一対とされ、一対の永久磁石１６ａ、１６ｂはＸ−Ｙ平面内でＹ方向に間隔を開けて平行に配置されている。本実施の形態では、一対のガイド軸１３ａ、１３ｂが一対の永久磁石１６ａ、１６ｂを貫通する構成とされているが、これに限るものではなく一対のガイド軸１３ａ、１３ｂに併設して設けられていても良い。また、一対の永久磁石１６ｃ、１６ｄはＸ−Ｙ平面内でＸ方向に間隔を開けて配置されている。
【００１７】
また、Ｘ方向ステージ１３の底部には、永久磁石１６ａ〜１６ｄそれぞれに対応して、軟磁性金属部材からなる板状のヨーク１６ｅ，１６ｆ，１６ｇ，１６ｈが設けられている。ヨーク１６ｅ〜１６ｈは、永久磁石１６ａ〜１６ｄそれぞれの所定の位置に配置されていればよく、永久磁石１６ａ〜１６ｄそれぞれに直接固定されていてもよいし、永久磁石１６ａ〜１６ｄとは別に例えばベース部材１１に固定されていてもよい。
【００１８】
また、ヨーク１６ｇ，１６ｈは、永久磁石１６ｃ，１６ｄの底面と同じ大きさと形状の矩形の板となっている。一方、ヨーク１６ｅ，１６ｆは、永久磁石１６ａ，１６ｂの底面と同じ大きさと形状のヨーク部分とそこから延長されてそれぞれ永久磁石１６ａ，１６ｂの底面からＸ方向ステージ１３の中央領域にはみ出すように形成された延出部とからなる板となっている。また、永久磁石１６ａ，１６ｂの延出部はＣＣＤ１０１を挟んでその両側に位置するように配置されている。
【００１９】
Ｙ方向ステージ１４は、中央領域にｚ方向に貫通した穴を有する矩形の枠体であり、第１のガイド支持部であるＹ方向に延びる一対のガイド軸１４ａ、１４ｂがＸ方向に間隔を開けて設けられている。そのＹ方向ステージ１４には第２のガイド部として、Ｘ方向に間隔を開けて対向する二個一対の軸受け形状のガイド１７ａ、１７ａ’、１７ｂ、１７ｂ’がＹ方向に間隔を開けて形成されている。各一対のガイド（１７ａ、１７ａ’）、（１７ｂ、１７ｂ’）はＸ方向ステージ１３の一対のガイド軸１３ａ、１３ｂにそれぞれ接触した状態で移動可能に支承され、これによりＹ方向ステージ１４がＸ方向に移動可能とされている。
【００２０】
載置ステージ１５は、Ｘ方向に張り出した一対のコイル取り付け板部１５ａ、１５ｂとＹ方向に張り出した一対のコイル取付板部１５ｃ、１５ｄとを有する。ＣＣＤ１０１はその載置ステージ１５の中央に固定されている。載置ステージ１５には第１のガイド部として、ＣＣＤ１０１の撮像面と同じ側にＹ方向に間隔を開けて対向する二個一対の軸受け形状のガイド（符号を略す）がＸ方向に間隔を開けて形成され、各一対のガイドはＹ方向ステージ１４の一対のガイド軸１４ａ、１４ｂに接触した状態で可動可能に支承され、これにより載置ステージ１５は全体としてＸ−Ｙ方向に可動可能とされている。このため、Ｘ方向ステージ１３およびＹ方向ステージ１４は、載置ステージ１５をＸ−Ｙ平面に沿って移動可能に保持し、案内ステージとして機能する。また、Ｘ方向ステージ１３は、固定筒１０のベース部材１１に設けられていることから、本体ケース内で撮影光軸に対して固定されている。
【００２１】
また、載置ステージ１５の枠体底部には、ヨーク１６ｅ，１６ｆの延出部にＺ方向で対向する位置、すなわちその直上となる位置に付勢マグネット１５ｅ，１５ｆが設けられている。すなわち、付勢マグネット１５ｅとヨーク１６ｅの延出部との組合せと、付勢マグネット１５ｆとヨーク１６ｆの延出部との組合せとが、Ｙ軸方向に沿ってＣＣＤ１０１を介在させて対を為している。また、付勢マグネット１５ｅとヨーク１６ｅの延出部との組合せと、付勢マグネット１５ｆとヨーク１６ｆの延出部との組合せは、各コイル体ＣＯＬ１、ＣＯＬ１’を結ぶ中心線、コイル体ＣＯＬ２、ＣＯＬ２’を結ぶ中心線に対して線対称となるように設けられている。
【００２２】
また、ＣＣＤ１０１には撮像面と反対側の面に保護板１９が貼り付けられている。保護板１９にはその中央にテーパ形状の凹所１９ａが形成されている。この凹所１９ａの機能については後述する。
【００２３】
一対のコイル取り付け板部１５ａ、１５ｂにはそれぞれ偏平かつ渦巻き状のコイル体ＣＯＬ１、ＣＯＬ１’が貼り付けられている。コイル体ＣＯＬ１、ＣＯＬ１’は直列接続されている。一対の取付板部１５ｃ、１５ｄにはそれぞれ偏平かつ渦巻き状のコイル体ＣＯＬ２、ＣＯＬ２’が貼り付けられている。コイル体ＣＯＬ２、ＣＯＬ２’も同様に直列接続されている。
【００２４】
各コイル体ＣＯＬ１、ＣＯＬ１’はそれぞれ各永久磁石１６ｃ、１６ｄに臨まされている。各コイル体ＣＯＬ２、ＣＯＬ２’はそれぞれ永久磁石１６ａ、１６ｂに臨まされている。一対のコイル体ＣＯＬ１、ＣＯＬ１’は、Ｘ方向にＣＣＤ１０１を可動させるのに用いられ、一対のコイル体ＣＯＬ２、ＣＯＬ２’はＹ方向にＣＣＤ１０１を可動させるのに用いられる。このため、本実施の形態では、一対のコイル体ＣＯＬ１、ＣＯＬ１’は、第１コイルとして機能し、各永久磁石１６ｃ、１６ｄは、第１永久磁石として機能し、一対のコイル体ＣＯＬ２、ＣＯＬ２’は、第２コイルとして機能し、各永久磁石１６ｃ、１６ｄは、第２永久磁石として機能している。
【００２５】
すなわち、ヨーク１６ｅのヨーク部分と永久磁石１６ａとコイル体ＣＯＬ２の組合せと、ヨーク１６ｆのヨーク部分と永久磁石１６ｂとコイル体ＣＯＬ２’の組合せは、Ｙ方向の駆動手段となっている。また、ヨーク１６ｇと永久磁石１６ｃとコイル体ＣＯＬ１の組合せと、ヨーク１６ｈと永久磁石１６ｄとコイル体ＣＯＬ１’の組合せは、Ｘ方向の駆動手段となっている。
【００２６】
また、位置検出素子１２５２にはホール素子が用いられ、一対のコイル取付板部１５ａ、１５ｂの一方のコイル取付板部１５ｂには位置検出素子１２５２としてのホール素子１２５２ａが設けられ、同様に一対のコイル取付板部１５ｃ、１５ｄの一方のコイル取付板部１５ｄにはホール素子１２５２ｂが設けられている。
【００２７】
ここで、本発明の像振れ補正装置には、搭載したカメラ側に不図示の振れ検出手段が設けられており、載置ステージ１５のＸ方向とＹ方向の位置はそれぞれＸ位置センサであるホール素子１２５２ａ、Ｙ位置センサであるホール素子１２５２ｂにより検出されるとともに、図示しない制御回路によりカメラの振れによるＣＣＤ１０１上の像振れを打ち消すようにＣＣＤ１０１の位置が所定の位置に移動制御される。
【００２８】
図２に、本発明に係る像振れ補正装置の断面構成図を示す。ここでは、図１に示した像振れ補正装置のＸ方向の中心位置でＹ方向に切断した断面図を示しており、ＣＣＤ１０１、コイル体ＣＯＬ２、ＣＯＬ２’、付勢マグネット１５ｅ，１５ｆ、永久磁石１６ａ，１６ｂ、ヨーク１６ｅ，１６ｆの位置関係を明確にするために、像振れ補正装置のそれ以外の構成部品は省略してある。
【００２９】
図２ではＸ方向ステージ１３、Ｙ方向ステージ１４、戴置ステージ１５が下から順に適正に配置された状態を示している。ここで、ヨーク１６ｅ，１６ｆは、それぞれ永久磁石１６ａ，１６ｂのコイル体ＣＯＬ２、ＣＯＬ２’に対向する面とは反対側の面に固着されている。また、ヨーク１６ｅ，１６ｆはそれぞれ永久磁石１６ａ，１６ｂの底面と同じ大きさと形状のヨーク部分１６ｅ１，１６ｆ１とそこから延長されてそれぞれ永久磁石１６ａ，１６ｂの底面からＸ方向ステージ１３の中央領域にはみ出すように形成された延出部１６ｅ２，１６ｆ２とからなる。また、載置ステージ１５の枠体底部には、付勢マグネット１５ｅ，１５ｆが設けられている。付勢マグネット１５ｅ，１５ｆは載置ステージ１５のガイド・ガイド軸１４ａ、１４ｂ間のガタ取り、及びガイド１７ａ、１７ａ’、１７ｂ、１７ｂ’・ガイド軸１３ａ、１３ｂ間のガタ取りを行うことができる程度の付勢力を与える程度の大きさがあればよい。また、延出部１６ｅ２，１６ｆ２それぞれは少なくとも載置ステージ１５の移動に伴って付勢マグネット１５ｅ，１５ｆが移動する範囲の面積をもっていることが好ましい。
【００３０】
ヨーク１６ｅ，１６ｆの延出部１６ｅ２，１６ｆ２は、それぞれ付勢マグネット１５ｅ，１５ｆにＺ方向で対向する位置まで延びており、これにより付勢マグネット１５ｅ，１５ｆと延出部１６ｅ２，１６ｆ２の吸引力が戴置ステージ１５を図中の下方向に付勢するように働き、載置ステージ１５の移動の際の載置ステージ１５のガイド・ガイド軸１４ａ、１４ｂ間のガタ取り、及びＹ方向ステージ１４の移動の際のガイド１７ａ、１７ａ’、１７ｂ、１７ｂ’・ガイド軸１３ａ、１３ｂ間のガタ取りを行うことができる。また、ＣＣＤ１０１をはさんでＹ方向の両側に付勢マグネット１５ｅ，１５ｆ及び延出部１６ｅ２，１６ｆ２を設けているので、載置ステージ１５のガイド・ガイド軸１４ａ、１４ｂ間、並びにガイド１７ａ、１７ａ’、１７ｂ、１７ｂ’・ガイド軸１３ａ、１３ｂ間に対する付勢力に片寄りが生じないため確実にガタ取りをすることができる。なお、本実施の形態ではＣＣＤ１０１を挟んでＹ方向の両側に付勢マグネット１５ｅ，１５ｆ及び延出部１６ｅ２，１６ｆ２を設けたが、ＣＣＤ１０１を挟んでＸ方向の両側に設けても良い。
【００３１】
図３に、永久磁石１６ａとヨーク１６ｅと付勢マグネット１５ｅを拡大した斜視図を示す。また、図４に、永久磁石１６ａと付勢マグネット１５ｅの磁石の配置を光軸方向から見た図を示す。付勢マグネット１５ｅは、着磁の向きを反対にして永久磁石１６ａに向かって左右方向に平行に配置された二つの永久磁石１５ｅ１，１５ｅ２からなる。ここで、永久磁石１５ｅ１はＳ極がヨーク１６ｅの延出部１６ｅ２に対向してその反対側がＮ極となっており、永久磁石１５ｅ２は逆にＮ極が延出部１６ｅ２に対向してその反対側がＳ極となっている。なお、永久磁石１６ａは、Ｓ極がヨーク１６ｅに向きその反対側がＮ極となった永久磁石ピース１６ａ１と、Ｎ極がヨーク１６ｅに向きその反対側がＳ極となった永久磁石ピース１６ａ２とがＹ軸方向に並んだものとなっている。
【００３２】
図５に、永久磁石ピース１６ａ１と永久磁石１５ｅ１，１５ｅ２との間で働く力を示す。図５（ａ）のように、永久磁石１６ａの付勢マグネット１５ｅに近い側である永久磁石ピース１６ａ１の着磁の向きと永久磁石１５ｅ１の着磁の向きが同じときは互いに反発する力が働く。一方、図５（ｂ）のように、永久磁石ピース１６ａ１の着磁の向きと永久磁石１５ｅ２の着磁の向きが逆のときは吸引力が働く。ここで、永久磁石１５ｅ１，１５ｅ２のどちらか一方しかない場合、ＣＣＤ１０１を搭載した載置ステージ１５に対して、永久磁石１６ａに吸引または反発する力のいずれか一方のみが働き、コイル体ＣＯＬ１０２で発生させる像振れ補正のために必要な力に余分にこの力が加わるため、補正制御性能の悪化やコイルの消費電流の増加を招いてしまうことになる。本発明では、付勢マグネット１５ｅを永久磁石１５ｅ１，１５ｅ２のセットとして逆向きの着磁部分となる永久磁石を持たせることにより、永久磁石１６ａに作用する付勢マグネット１５ｅの反発力と吸引力がキャンセルされて、このような不要な力の発生を防ぐことができる。また、永久磁石１５ｅ１，１５ｅ２は材料が同じであれば、その大きさは同じであることが好ましい。
【００３３】
以上、本発明の像振れ補正装置の構成例について示したが、駆動マグネットとしての永久磁石及びヨークを追加してもよいし、あるいは配置位置を変更してもよい。図６，図７に本発明の像振れ補正装置の別の構成例を示す。
【００３４】
図６は、図２の像振れ補正装置の構成に駆動マグネットとしての永久磁石及びヨークを追加した例である。ここでは、コイル体ＣＯＬ２、ＣＯＬ２’の永久磁石１６ａ，１６ｂが配置される側とは反対側に、該コイル体ＣＯＬ２、ＣＯＬ２’に対向するようにそれぞれ永久磁石１６ｉ及びヨーク１６ｍ、永久磁石１６ｊ及びヨーク１６ｎを配置している。このように、コイル体ＣＯＬ２、ＣＯＬ２’をそれぞれ挟むように永久磁石を配置することで永久磁石１６ａ，１６ｂ，１６ｉ，１６ｊの体積を小さくすることができ、結果としてその厚みを薄くすることができる。
【００３５】
図７は、図２の像振れ補正装置の構成に駆動マグネットとしての永久磁石及びヨークの配置位置を変更した例である。ここでは、図２における永久磁石１６ｂ及びヨーク１６ｆのヨーク部１６ｆ１の配置位置を変更し、コイル体ＣＯＬ２’の反対側（図中コイル体ＣＯＬ２’の上部）で該コイル体ＣＯＬ２’に対向するように永久磁石１６ｂ´及びヨーク１６ｆのヨーク部１６ｆ１´を配置している。これにより、像振れ補正装置の設計の自由度を広げることができる。
【００３６】
つぎに、本発明に係る撮像装置であるカメラについて説明する。本発明の撮像装置は、前述した像振れ補正装置（図１〜図７で示したもののいずれか）を備えるものである。また、本発明でいう像振れ補正は手振れ補正と被写体振れ補正とを意味するが、ここでは手振れ補正を前提として説明する。
【００３７】
（デジタルカメラの一般的構成）
図８は本発明に係る撮像装置としてのデジタルスチルカメラ（以下、カメラともいう）の一例を示す正面図、図９はその背面図、図１０はその上面図、図１１はそのデジタルスチルカメラの内部のシステムの構成の概要を示すブロック回路図である。
【００３８】
図８において、カメラ本体（本体ケース）の上面には、レリーズスイッチ（レリーズシャッター）ＳＷ１、モードダイアルＳＷ２、図１０に示すサブ液晶ディスプレイ（サブＬＣＤともいう）１が配設されている。
【００３９】
カメラ本体の正面には、撮影レンズを含む鏡胴ユニット７、光学ファインダ４、ストロボ発光部３、測距ユニット５、リモートコントロール受光部６が設けられている。
【００４０】
カメラの背面には、図９に示すように電源スイッチＳＷ１３、ＬＣＤモニタ１０、ＡＦＬＥＤ８、ストロボＬＥＤ９、光学ファインダ４、広角方向ズームスイッチＳＷ３、望遠方向ズームスイッチＳＷ４、セルフタイマの設定・削除スイッチＳＷ５、メニュースイッチＳＷ６、上移動・ストロボセットスイッチＳＷ７、右移動スイッチＳＷ８、ディスプレイスイッチＳＷ９、下移動・マクロスイッチＳＷ１０、左移動・画像確認スイッチＳＷ１１、ＯＫスイッチＳＷ１２、手ぶれ補正スイッチＳＷ１４が設けられている。カメラ本体の側面にはメモリカード／電池装填室の蓋２が設けられている。
【００４１】
これらの各部材の機能及び作用は公知であるので、その説明は省略することにし、次にカメラの内部のシステム構成を説明する。
【００４２】
その図１１において、１０４はデジタルスチルカメラプロセッサ（以下、プロセッサともいう）である。
【００４３】
プロセッサ１０４は、Ａ／Ｄ変換器１０４１１、ＣＣＤ１信号処理ブロック１０４１、ＣＣＤ２信号処理ブロック１０４２、ＣＰＵブロック１０４３、ローカルＳＲＡＭ１０４４、ＵＳＢブロック１０４５、シリアルブロック１０４６、ＪＰＥＧ・ＣＯＤＥＣブロック（ＪＰＥＧ圧縮・伸長を行うブロック）１０４７、ＲＥＳＩＺＥブロック（画像データのサイズを補間処理により拡大・縮小するブロック）１０４８、ＴＶ信号表示ブロック（画像データを液晶モニタ・ＴＶなどの外部表示機器に表示させるためのビデオ信号に変換するブロック）１０４９、メモリカードコントローラブロック（撮影画像データを記録するメモリカードの制御を行うブロック）１０４１０を有している。これらの各ブロックは相互にバスラインで接続されている。
【００４４】
プロセッサ１０４の外部にはＲＡＷ−ＲＧＢ画像データ（ホワイトバランス設定、γ設定が行われた状態の画像データ）、ＹＵＶ画像データ（輝度データ、色差データ変換が行われた状態の画像データ）、ＪＰＥＧ画像データ（ＪＰＥＧ圧縮された状態の画像データ）を保存するＳＤＲＡＭ１０３が配置され、このＳＤＲＡＭ１０３はプロセッサ１０４にメモリコントローラ（図示を略す）、バスラインを介して接続されている。
【００４５】
プロセッサ１０４の外部には、更に、ＲＡＭ１０７、内蔵メモリ（メモリカードスロットルにメモリカードが装着されていない場合でも撮影画像データを記憶するためのメモリ）１２０、制御プログラム、パラメータなどが格納されたＲＯＭ１０８が設けられ、これらもバスラインによってプロセッサ１０４に接続されている。
【００４６】
その制御プログラムは、カメラの電源スイッチＳＷ１３をオンすると、プロセッサ１０４のメインメモリ（図示を略す）にロードされ、プロセッサ１０４はその制御プログラムに従って各部の動作制御を行うと共に、制御データ、パラメータ等をＲＡＭ１０７等に一時的に保存させる。
【００４７】
鏡胴ユニット７は、ズームレンズ７１ａを有するズーム光学系７１、フォーカスレンズ７２ａを有するフォーカス光学系７２、絞り７３ａを有する絞りユニット７３、メカニカルシャッター７４ａを有するメカニカルシャッターユニット７４からなるレンズ鏡筒を備えている。
【００４８】
ズーム光学系７１、フォーカス光学系７２、絞りユニット７３、メカニカルシャッターユニット７４は、ズームモータ７１ｂ、フォーカスモータ７２ｂ、絞りモータ７３ｂ、メカニカルシャッターモータ７４ｂによってそれぞれ駆動されるようになっている。
【００４９】
これらの各モータはモータドライバ７５によって駆動され、このモータドライバ７５はプロセッサ１０４のＣＰＵブロック１０４３によって制御される。
【００５０】
鏡胴ユニット７の各レンズ系によりＣＣＤ１０１に被写体像が結像され、ＣＣＤ１０１は被写体像を画像信号に変換してＦ／Ｅ−ＩＣ１０２に画像信号を出力する。Ｆ／Ｅ−ＩＣ１０２は画像ノイズ除去用のため相関二重サンプリングを行うＣＤＳ１０２１、利得調整用のＡＧＣ１０２２、アナログデジタル変換を行うＡ／Ｄ変換部１０２３から構成されている。すなわち、Ｆ／Ｅ−ＩＣ１０２はその画像信号に所定の処理を施し、アナログ画像信号をデジタル信号に変換してプロセッサ１０４のＣＣＤ１信号処理ブロック１０４１に向けてこのデジタル信号を出力する。
【００５１】
これらの信号制御処理は、プロセッサ１０４のＣＣＤ１信号処理ブロック１０４１から出力される垂直同期信号ＶＤ・水平同期信号ＨＤによりＴＧ１０２４を介して行われる。そのＴＧ１０２４はその垂直同期信号ＶＤ・水平同期信号ＨＤに基づき駆動タイミング信号を生成する。
【００５２】
プロセッサ１０４のＣＰＵブロック１０４３は、音声記録回路１１５１による音声記録動作を制御するようになっている。音声記録回路１１５１はマイクロフォン１１５３で変換された音声記録信号のマイクロフォンアンプリファイア１１５２による増幅信号を指令に応じて記録する。ＣＰＵブロック１０４３は、音声再生回路１１６１の動作も制御する。音声再生回路１１６１は、指令により適宜メモリに記憶されている音声信号を再生してオーディオアンプリファイア１１６２に出力し、スピーカ１１６３から音声を出力させるように構成されている。
【００５３】
ＣＰＵブロック１０４３は、更に、ストロボ回路１１４を制御することによってストロボ発光部３から照明光を発光させる。これに加えて、ＣＰＵブロック１０４３は、測距ユニット５も制御する。
【００５４】
ＣＰＵブロック１０４３は、プロセッサ１０４のサブＣＰＵ１０９に接続され、サブＣＰＵ１０９はＬＣＤドライバ１１１を介してサブＬＣＤ１による表示制御を行う。サブＣＰＵ１０９は、更に、ＡＦＬＥＤ８、ストロボＬＥＤ９、リモートコントロール受光部６、操作スイッチＳＷ１〜ＳＷ１４からなる操作キーユニット、ブザー１１３に接続されている。
【００５５】
ＵＳＢブロック１０４５はＵＳＢコネクタ１２２に接続され、シリアルブロック１０４６はシリアルドライバ回路１２３１を介してＲＳ−２３２Ｃコネクタ１２３２に接続されている。ＴＶ信号表示ブロック１０４９は、ＬＣＤドライバ１１７を介してＬＣＤモニタ１０に接続されると共に、ビデオアンプリファイア（ＴＶ信号表示ブロック１０４９から出力されたビデオ信号を７５Ωインピーダンスに変換するためのアンプリファイア）１１８を介してビデオジャック（カメラをＴＶなどの外部表示機器に接続するためのジャック）１１９に接続されている。メモリカードコントローラブロック１０４１０はメモリカードスロット１２１のカード接点との接点に接続されている。
【００５６】
ＬＣＤドライバ１１７はＬＣＤモニタ１０を駆動すると共に、ＴＶ信号表示ブロック１０４９から出力されたビデオ信号をＬＣＤモニタ１０に表示させる信号に変換する役割を果たす。ＬＣＤモニタ１０は撮影前の被写体の状態監視、撮影画像の確認、およびメモリカード又は内蔵メモリ１２０に記録された画像データを表示するために用いられる。
【００５７】
デジタルカメラの本体には、鏡胴ユニット７の一部を構成する固定筒（後述する）が設けられている。この固定筒にはＣＣＤステージ１２５１がＸ−Ｙ方向に移動可能に設けられている。ＣＣＤ１０１は手ぶれ補正機構の一部を構成するＣＣＤステージ１２５１に搭載され、そのＣＣＤステージ１２５１の詳細なメカニカルな構造については後述する。
【００５８】
そのＣＣＤステージ１２５１はアクチュエータ１２５５によって駆動され、アクチュエータ１２５５はドライバ１２５４によって駆動制御される。そのドライバ１２５４はコイルドライブＭＤ１とコイルドライブＭＤ２とから構成されている。そのドライバ１２５４はアナログデジタル変換器ＩＣ１に接続され、そのアナログデジタル変換器ＩＣ１はＲＯＭ１０８に接続され、このアナログデジタル変換器ＩＣ１にはＲＯＭ１０８から制御データが入力される。
【００５９】
固定筒には手ぶれ補正スイッチＳＷ１４がオフ、電源スイッチＳＷ１３がオフのときにＣＣＤステージ１２５１を中央位置に保持する原点位置強制保持機構１２６３が設けられている。この原点位置強制保持機構１２６３はアクチュエータとしてのステッピングモータＳＴＭ１により制御され、そのステッピングモータＳＴＭ１はドライバ１２６１によって駆動される。このドライバ１２６１にはＲＯＭ１０８から制御データが入力される。
【００６０】
ＣＣＤステージ１２５１には位置検出素子１２５２が取り付けられている。この位置検出素子１２５２の検出出力はアンプリファイア１２５３に入力され、増幅されてＡ／Ｄ変換器１０４１１に入力される。カメラ本体にはジャイロセンサ１２４１がＸ方向とＹ方向との回転を検出可能に設けられ、ジャイロセンサ１２４１の検出出力はローパスフィルタ兼用のアンプリファイア１２４２を介してＡ／Ｄ変換器１０４１１に入力される。
【００６１】
次に、本発明に係わるカメラの一般的な動作概要を説明する。
【００６２】
モードダイアルＳＷ２を撮影モードに設定すると、カメラが撮影モードで起動される。また、モードダイアルＳＷ２を再生モードに設定すると、カメラが再生モードで起動される。プロセッサ１０４はモードダイアルＳＷ２のスイッチの状態が撮影モードであるか、再生モードであるかを判断する（図１２のＳ．１）。
【００６３】
また、プロセッサ１０４はモータドライバ７５を制御し、鏡胴ユニット７のレンズ鏡筒を撮影可能な位置に移動させる。更に、プロセッサ１０４はＣＣＤ１０１、Ｆ／Ｅ−ＩＣ１０２、ＬＣＤモニタ１０等の各回路に電源を投入して動作を開始させる。各回路の電源が投入されると、ファインダーモードの動作が開始される。
【００６４】
ファインダーモードでは、各レンズ系を通して撮像素子（ＣＣＤ１０１）に入射した光が光電変換されて、Ｒ、Ｇ、Ｂのアナログ信号としてＣＤＳ回路１０２１、Ａ／Ｄ変換器１０２３に送信される。Ａ／Ｄ変換器１０２３はそのアナログ信号をデジタル変換し、そのデジタル信号はデジタル信号処理ＩＣ（ＳＤＲＡＭ１０３）内のＹＵＶ変換部でＹＵＶデータに変換され、図示を略すメモリコントローラによってフレームメモリに書き込まれる。
【００６５】
このＹＵＶ信号はメモリコントローラによって読み出され、ＴＶ信号表示ブロック１０４９を介してＴＶ（図示を略す）やＬＣＤモニタ１０へ送信され、これにより撮影画像の表示が行われる。この処理は１／３０秒間隔で行われ、１／３０秒ごとに更新されるファインダーモードの表示となる。すなわち、モニタリング処理が実行される（図１２のＳ．２）。ついで、モードダイアルＳＷ２の設定変更が行われたか否かを判断する（図１２のＳ．３）。モードダイアルＳＷ２の設定がそのままの場合には、レリーズスイッチＳＷ１を操作することにより撮影処理が実行される（図１２のＳ．４）。
【００６６】
再生モードでは、プロセッサ１０４は撮影済み画像をＬＣＤモニタ１０に表示させる（図１２のＳ．５）。ついで、プロセッサ１０４はモードダイアルＳＷ２の設定が変更されたか否かを判断し（図１２のＳ．６）、プロセッサ１０４はモードダイアルＳＷ２の設定が変更された場合にはＳ．１へ移行し、そのままの場合にはＳ．５を繰り返す。
【００６７】
（手振れ補正の原理）
図１３は手ぶれ補正の原理を説明するための説明図であって、（ａ）はデジタルカメラが実線で示す手ぶれのない状態から破線で示すように傾いた状態を示し、（ｂ）はそのカメラ本体の撮影レンズとＣＣＤ１０１の撮像面との関係を示す部分拡大図である。
【００６８】
カメラの手ぶれがない状態のとき、ＣＣＤ１０１の撮像面が位置Ｐ１、すなわち、中央位置にあるとき、被写体の像が原点Ｏに投影されていたとする。ここで、手ぶれによりカメラがθ（θｘ、θｙ）方向に傾いたとする。すると、撮像面はＰ２の位置に移動し、被写体の像はＯ’に移動する。そこで、撮像面の位置がＰ１となるように、Ｘ方向にｄｘ、Ｙ方向にｄｙだけ撮像面を平行移動させることにより、被写体の像は元の原点位置Ｏに戻ることになる。
【００６９】
（像振れ補正機構のメカニカルな構成）
図１４は固定筒の正面図、図１５は固定筒の縦断面図、図１６は固定筒の背面図である。その図１４〜図１６において、１０は固定筒である。固定筒１０は箱形形状を呈し、その内側がレンズ鏡筒受入用の収納空間とされている。固定筒１０は、本体ケース（カメラ本体）内に設けられており、撮影光軸との位置関係が一定とされている。固定筒１０の背面には全体的に略矩形状を呈する板状のベース部材１１が取り付けられている。その固定筒１０の内周壁には、ここではレンズ鏡筒を繰り出し・繰り入れるためのヘリコイド１２が形成されている。固定筒１０は少なくとも２つの角部が切り欠かれ、一方の角部１０ａは後述するステッピングモータＳＴＭの取り付け部とされ、他方の角部１０ｂは後述するフレキシブルプリント基板２０の折り曲げ箇所とされている。
【００７０】
ＣＣＤステージ１２５１はそのベース部材１１に設けられている。このＣＣＤステージ１２５１が本発明の像振れ補正装置であり、図１〜図７に示したものである。
【００７１】
ＣＣＤステージ１２５１のＣＣＤ１０１はフレキシブルプリント基板２０を介してＦ／ＥＩＣ１０２に電気的に接続され（図１７参照）、そのホール素子１２５２ａ、１２５２ｂはフレキシブルプリント基板２０を介してオペレーショナルアンプリファイア１２５３に電気的に接続され、各コイル体ＣＯＬ１、ＣＯＬ１’、ＣＯＬ２、ＣＯＬ２’はコイルドライバ１２５４に電気的に接続されている。
【００７２】
（原点位置強制保持機構のメカニカルな構成）
原点位置強制保持機構１２６３は、図１７、図１８に拡大して示すように、ステッピングモータＳＴＭ１を有する。このステッピングモータＳＴＭ１の駆動制御については後述することにし、原点位置強制保持機構１２６３のメカニカルな構成を先に詳細に説明する。
【００７３】
ステッピングモータＳＴＭ１は図１４および図１７に示すように固定筒１０の角部１０ａに設けられている。そのステッピングモータＳＴＭ１の出力軸２０には出力ギヤ２１が設けられている。固定筒１０の角部１０ａには回転運動を直線運動に変換する変換機構２２が設けられている。
【００７４】
この変換機構２２は回転伝達ギヤ２３と往復動シャフト２４と付勢コイルスプリング２５と強制押さえ板２６とバネ受け部材２７とから大略構成されている。固定筒１０の角部１０ａにはＺ軸方向に間隔を開けて一対の支承部２８、２９が形成されている。支承部２８はモータ取付板から構成されている。往復動シャフト２４はその支承部２９とモータ取付板２８との間に掛け渡されて支承されている。その回転伝達ギヤ２３は一対の支承部２８、２９の間に位置して、往復動シャフト２４に回転可能に支承されると共に、出力ギヤ２１に噛合されている。
【００７５】
その往復動シャフト２４の一端側の部分は支承部２９を貫通してベース部材１１の背面側に臨んでいる。付勢コイルスプリング２５はバネ受け部材２７と支承部２９との間に設けられ、往復動シャフト２４はその付勢コイルスプリング２５により支承部２８に向けて付勢されている。往復動シャフト２４には回転伝達ギヤ２３の軸穴端面と係合する段差部２４ａを有する。
【００７６】
その回転伝達ギヤ２３にはその一方の端面部に図１９（ａ）〜図１９（ｅ）に示すようにカム溝３１が形成されている。このカム溝３１は回転伝達ギヤ２３の周回り方向に延び、谷底平坦部３１ａと頂上平坦部３１ｂとその谷底平坦部３１ａから頂上平坦部３１ｂに向かって連続的に傾斜する傾斜面部３１ｃとから構成されている。その谷底平坦部３１ａと頂上平坦部３１ｂとの間は後述するカムピンが回転方向から衝合する衝合壁としての絶壁３１ｄとなっている。
【００７７】
その支承部２８にはカムピン３２が固定され、そのカムピン３２の先端はカム溝３１に摺接されている。その絶壁３１ｄから傾斜面部３１ｃの傾斜開始位置３１ｅまでの谷底平坦部３１ａの回転方向の長さはステッピングモータＳＴＭ１の回転制御信号に換算して２パルス分に相当する。
【００７８】
その傾斜面部の傾斜開始位置３１ｅから頂上平坦部３１ｂに通じる傾斜終端位置３１ｆまでの傾斜面部３１ｃの回転方向長さはステッピングモータＳＴＭ１の回転制御信号に換算して３０パルス分に相当する。
【００７９】
その傾斜終端位置３１ｆから絶壁３１ｄまでの間の頂上平坦部３１ｂの回転方向長さはステッピングモータＳＴＭ１の回転制御信号に換算して３パルス分に相当し、ステッピングモータＳＴＭ１の３５パルス分が回転伝達ギヤ２３の１回転に対応し、回転伝達ギヤ２３の一回転により往復動シャフト２４がＺ軸方向に一往復される。
【００８０】
強制押さえ板２６はベース部材１１の背面側に設けられている。その強制押さえ板２６は図１６に示すようにＣＣＤ１０１の中心に向かって長く延びる構成とされ、その強制押さえ板２６の基端部２６ａは往復動シャフト２４の一端部に固定されている。その強制押さえ板２６の自由端部２６ｂにはテーパ形状の押さえピン３３が固定されている。その強制押さえ板２６の延びる方向途中にはガイド軸２６ｃが突出形成されている。
【００８１】
ベース部材１１には位置決め突起１１ａ、１１ｂとコイル取り付け突起１１ｃと係合突起１１ｄとが形成されている。コイル取り付け突起１１ｃにはネジリコイルバネ３４の巻回部３４ａが取り付けられ、ネジリコイルバネ３４の一端部３４ｂは係合突起１１ｄに係合され、ネジリコイルバネ３４の他端部３４ｃはガイド軸２６ｃに係合されている。ベース部材１１にはガイド軸２６ｃをガイドするガイド穴（図示を略す）が形成されている。
【００８２】
強制押さえ板２６はそのネジリコイルバネ３４によって位置決め突起１１ａに当接されつつ往復動シャフト２４の往復動に伴ってベース部材１１に対して離反接近する方向（Ｚ軸方向）に往復動される。そのガイド軸２６ｃはその強制押さえ板２６の往復動を安定した姿勢で行わせる役割を果たす。
【００８３】
押さえピン（嵌合突起）３３は凹所（嵌合穴）１９ａと嵌合することにより載置ステージ１５を機械的に原点位置に保持させる役割を果たし、図２０（ａ）に拡大して示すように押さえピン３３の周壁３３ａと保護板１９の凹所周壁１９ｂとが密接に嵌合した状態がカムピン３２のホールド待機位置に相当し、図２０（ｂ）に拡大して示すように押さえピン３３の周壁３３ａと保護板１９の凹所周壁１９ｂとが最大離間した状態がカムピン３３のリリース待機位置に対応し、カムピン３２のホールド待機位置は載置ステージ１５の強制原点位置でもある。
【００８４】
（プリント基板の折り曲げ方）
【００８５】
フレキシブルプリント基板２０（以下プリント基板２０ともいう）は、ＣＣＤ接続部２０１と、コイル接続部２０２と、位置検出素子接続部２０３と、ブロック回路接続部２０４と、連結延在部２０５とを有する。図２１は、ＣＣＤ接続部２０１の表側からみたプリント基板２０の展開図であり、図２２は、裏側から見たプリント基板２０の展開図であり、ＣＣＤステージ１２５１上に取り付けられた状態を示している。
【００８６】
ＣＣＤ接続部２０１は、図２１に示すように、ＣＣＤ１０１の接続ピンに対応する接続パターン部分２０１ａと、保護板１９の凹所１９ａに対応する貫通孔２０１ｂとを有する。また、図示は略すが、コイル接続部２０２には、各コイル体ＣＯＬ１、ＣＯＬ１´ＣＯＬ２、ＣＯＬ２´（以下各コイル体ＣＯＬともいう）と電気的に接続可能な接続パターン部分が、位置検出素子接続部２０３には、位置検出素子１２５２と電気的に接続可能な接続パターン部分がそれぞれ設けられている。ブロック回路接続部２０４は、Ｆ／Ｅ−ＩＣ１０２、オペレーショナルアンプリファイア１２５３およびコイルドライバ１２５４に電気的に接続される接続パターン部分２０４ａを有し、これにより、システムブロック回路は、連結延在部２０５を介して、ＣＣＤ接続部２０１、コイル接続部２０２および位置検出素子接続部２０３と電気的に接続されている。
【００８７】
連結延在部２０５は、本実施例では、第１連結延在部２０６と、第２連結延在部２０７との二股に分かれて構成されている。第２連結延在部２０７は、直線ａおよび直線ｂに沿って折り曲げると第１連結延在部２０６に重なる形状とされている。第２連結延在部２０７は、裏表を逆にすると第１連結延在部２０６と同様の構成であるので、その詳細な説明は省略する。
【００８８】
第１連結延在部２０６は、第１直線部分２０８と、第１湾曲部分２０９と、第２直線部分２１０と、第２湾曲部分２１１と、第３直線部分２１２とを有する。第１直線部分２０８は、組み付け時にＣＣＤ１０１の裏面に配置されるＣＣＤ接続部２０１から、Ｙ軸方向およびＸ軸方向に対して略４５度の傾斜を為す方向（角部１０ｂへ向かう方向）に延びている（図２２参照。）。第１湾曲部分２０９は、全体に扇状を呈し、頂角が略４５度とさており、幅寸法を変えることなく第１直線部分２０８と第２直線部分２１０とを繋いでいる。第２直線部分２１０は、Ｘ軸方向に沿って延びている。第２湾曲部分２１１は、全体に扇状を呈し、頂角が略９０度とされており、幅寸法を変更することなく第２直線部分２１０と第３直線部分２１２とを繋いでいる。第３直線部分２１２は、長さ寸法が第２直線分２１０と等しく形成されており、第２直線部分２１０と直交する方向に、すなわちＹ軸方向に沿って延びている。
【００８９】
次にプリント基板２０の取り付け方について説明する。
【００９０】
図２２に示すように、ＣＣＤ接続部２０１の接続パターン部分２０１ａをＣＣＤ１０１の接続ピンに一致させ、かつ貫通孔２０１ｂを凹所１９ａに一致させた位置で、プリント基板２０を保護板１９側からＣＣＤステージ１２５１に取り付ける。
【００９１】
プリント基板２０の上にＦＰＣ補助板２１３を取り付ける。ＦＰＣ補助板２１３は、板部材であり、ＣＣＤ接続部２０１の一部と、第１連結延在部２０６の第１直線部分２０８および第１湾曲部分２０９との形状に適合している。ＦＰＣ補助板２１３は、プリント基板２０の折り曲げを補助するため、直線ａに沿う第１辺部２１３ａと、第１湾曲部分２０９と第２直線部分２１０との境界線に沿う第２辺部２１３ｂと、後述する線分ｄに沿う第３辺部２１３ｃとが設けられている。
【００９２】
直線ａおよび直線ｂを折目とし、ＦＰＣ補助板２１３が間に挟まるように、第２連結延在部２０７を第１連結延在部２０６上に折り重ねる（図２３参照。）。
【００９３】
直線ｃを折目とし、位置検出素子接続部２０３をＣＣＤ接続部２０１上に折り重ね、位置検出素子接続部２０３を位置検出素子１２５２と電気的に接続する（図２３参照。）。
【００９４】
直線ｄを折目とし、コイル接続部２０２をＣＣＤ接続部２０１上に折り重ね、コイル接続部２０２を各コイル体ＣＯＬと電気的に接続する（図２３参照。）。ここまでの工程により、図２３に示すように、プリント基板２０は、ＣＣＤステージ１２５１に取り付けられ、ベース部材１１上のＸ−Ｙ平面内に位置される。
【００９５】
ついで、図１６（ｂ）、図１７、図２４（ａ）および図２４（ｂ）に示すように、第２直線部分２１０が固定筒１０の角部１０ｂでＹ−Ｚ平面に沿って延在するように、直線ｅに沿って略直角に折り曲げられる。
【００９６】
さらに、第２湾曲部分２１１がベース部材１１からＺ軸方向のレンズ鏡筒側に変位したＸ−Ｙ平面内で、かつ第２直線部分２１０よりも固定筒１０側で延在するように、直線ｆに沿って略直角に折り曲げられる。
【００９７】
ついで、第３直線部分２１２が固定筒１０の角部１０ｂでＸ−Ｚ平面に沿って延在するように、直線ｇに沿って略直角に折り曲げられる。
【００９８】
ブロック回路接続部２０４が固定筒１０の外方でＸ−Ｙ平面に沿って延在するように、直線ｈに沿って略直角に折り曲げられる。直線ｈに沿う折り曲げにより形成されＸ−Ｚ平面に沿って延在する折返個所２１４を介して、ブロック回路接続部２０４がベース部材１１に取り付けられる（図１４および図１６（ｂ）参照。）。
【００９９】
手ぶれ補正が行われる際、載置ステージ１５がベース部材１１上でＸ−Ｙ平面内を移動されるので、プリント基板２０では、載置ステージ１５に固定された載置ステージ接続側とベース部材１１に固定されたブロック回路接続側との相対的な間隔が変化することとなる。この間隔の変化により互いの間に生じる力が載置ステージ１５の移動を阻害することを防止するために、プリント基板２０では、第２直線部分２１０がＹ−Ｚ平面内に存在され、第３直線部分２１２がＸ−Ｚ平面内に存在され、互いに直交する位置関係とされている。プリント基板２０では、その厚さ方向へ容易に変形することから、第２直線部分２１０の撓み変形によりＸ軸方向の力を吸収し、かつ第３直線部分２１２の撓み変形によりＹ軸方向の力を吸収するので、Ｘ−Ｙ平面内で生じる間隔の変化が生み出す力を吸収することができる。
【０１００】
また、第２湾曲部分２１１が第２直線部分２１０と第３直線部分２１２と固定筒１０とに囲まれたＸ−Ｙ平面内に存在していることから、載置ステージ１５の移動により載置ステージ接続側と第２直線部分２１０との折り曲げ部分（直線ｅ）に力が加わると、第２直線部分２１０が一方向へのみ膨らむＣ字状の撓み変形となり歪応力を緩和できるので、反発力が小さくなり載置ステージ１５の移動による力を効果的に吸収することができる。これに対して、第２湾曲部分２１１が第２直線部分２１０と第３直線部分２１２と固定筒１０とに囲まれた空間の外方でＸ−Ｙ平面内に存在するとした場合、第２直線部分２１０が折り曲げ部分（直線ｅ）に加えられた力により相反する二方向へ膨らむＳ字状の撓み変形となり歪応力が相対的に大きくなるので、反発力が大きくなり載置ステージ１５の移動による力の吸収量が小さくなる。このことは、Ｙ軸方向の力を吸収する第３直線部分２１２でも同様である。よって、プリント基板２０は、手ぶれ補正の際、載置ステージ１５のＸ−Ｙ平面内での移動を妨げることはない。
【０１０１】
プリント基板２０では、その折り曲げ個所が固定筒１０の角部１０ｂでＺ軸方向に沿って形成されているので、一般に円形で構成されるレンズ鏡筒の周囲の空間、すなわち固定筒１０の角部１０ｂを有効に利用することができ、折り曲げ個所を設けることによるカメラの大型化を防止することができる。
【０１０２】
プリント基板２０では、連結延在部２０５が折り重ねの可能な第１連結延在部２０６と第２連結延在部２０７とに分かれて構成されているので、連結延在部２０５の幅寸法を増加させることなく送電路を増加することができ、固定筒１０の角部１０ｂの制限された空間内で折り曲げ個所を構成することができる。このため、送電路の本数が少ない場合には、第２連結延在部２０７を設けなくてもよい。
【０１０３】
プリント基板２０では、ＦＰＣ補助板２１３が取り付けられているので、プリント基板２０のＣＣＤ接続部２０１から第１直線部分２０８を経て第１湾曲部分２０９に至る個所に撓み変形が生じさせることなく、載置ステージ１５の移動により生じた力を第３直線部分２１２に作用させることができ、確実に折り曲げ個所で力を吸収させることができる。
【０１０４】
（手ぶれ補正機構の保持制御回路）
ステッピングモータＳＴＭ１は図２５に示す保持制御回路によって制御される。そのステッピングモータＳＴＭ１は、二相制御構成とされ、第１コイルＳＴＭＣ’の各端末は出力線４０ａ、４０ａ’を介してモータドライバＭＤ３に接続されている。第２コイルＳＴＭＣ”の各端末は出力線４０ｂ、４０ｂ’を介してモータドライバＭＤ３に接続されている。出力線４０ａには電流制限用抵抗Ｒ１８が介在され、出力線４０ｂには電流制限用抵抗Ｒ１９が介在されている。その出力線４０ａと出力線４０ａ’との間にはコンデンサＣ７が介在され、出力線４０ｂと出力線４０ｂ’との間にはコンデンサＣ８が介在されている。
【０１０５】
そのモータドライバＭＤ３にはプロセッサ１０４のポートＩＮ１、ＩＮ２から保持制御信号が入力されると共に、プロセッサ１０４のポートＥＮＡにはイネーブル信号が入力され、モータドライブＭＤ３はこの保持制御信号、イネーブル信号に基づいてステッピングモータＳＴＭ１への通電制御を行っている。
【０１０６】
図２６はその保持制御回路の動作を説明するためのフローチャートであり、リセット処理と、リリース処理と、保持処理との三段階の処理動作からなっている。
【０１０７】
デジタルカメラの電源スイッチＳＷ１３をオンすると、プロセッサ１０４の制御により、リセット処理がまず最初に実行される（Ｓ．１）。このリセット処理では、プロセッサ１０４の制御により、２００ｐｐｓ（パルスパーセカンド）の緩やかな速度でステッピングモータＳＴＭ１が反時計方向に２パルス分回転駆動される。ついで、１０００ｐｐｓ（パルスパーセカンド）の早い速度でステッピングモータＳＴＭ１が反時計方向に３３パルス分回転駆動される。そして、最後に、２００ｐｐｓ（パルスパーセカンド）の緩やかな速度でステッピングモータＳＴＭ１が時計方向に２パルス分回転駆動される。
【０１０８】
カムピン３２がカム溝３１の回転方向いずれの位置にあっても、反時計方向に３５パルス分ほどステッピングモータＳＴＭ１を回転させることによりカムピン３２がカム溝３１の絶壁３１ｄに物理的に当接する。
【０１０９】
この当接位置から時計方向にステッピングモータＳＴＭ１を２パルス分駆動させると、カムピン３２がカム溝３１の傾斜開始位置３１ｅにセットされる（図１９（ｅ）参照）。このカムピン３２がカム溝３１の傾斜開始位置３１ｅにセットされた状態がリセット位置であり、ＣＣＤ１０１が原点位置Ｏに強制保持されている状態に対応している。この原点位置Ｏは載置ステージ１５の可動範囲の中央位置でもある。この電源オンからリセット完了までの所要時間は約５３ｍｓｅｃ（ミリセカンド）である。
【０１１０】
この手ぶれ補正機構では、ここでは、手ぶれ補正スイッチＳＷ１４をオンすることにより手ぶれ補正を実行し、手ぶれ補正スイッチＳＷ１４をオフ又は撮影が完了すると同時に手ぶれ補正実行を解除する構成となっている。
【０１１１】
手ぶれ補正スイッチＳＷ１４がオンされると、プロセッサ１０４の制御によりリリース処理が実行される（Ｓ．２）。このリリース処理では、まず、２００ｐｐｓ（パルスパーセカンド）の緩やかな速度でステッピングモータＳＴＭ１が時計方向に２パルス分回転駆動され、ついで、１０００ｐｐｓ（パルスパーセカンド）の早い回転速度で時計方向に２８パルス分回転駆動され、その後、ステッピングモータＳＴＭ１への通電が５ｍｓｅｃ（ミリセカンド）保持される。ついで、モータドライブＭＤ１によりステッピングモータＳＴＭ１への通電が停止される。
【０１１２】
このリリース処理により、カムピン３２はカム溝３１の傾斜終端位置３１ｆに位置される（図１９（ｄ）参照）。この傾斜開始位置３１ｅから傾斜終端位置３１ｆまでへの所要時間は約４３ｍｓｅｃ（ミリセカンド）である。すなわち、カムピン３２がホールド待機位置からリリース待機位置に移動するのに要する所要時間は約４３ｍｓｅｃ（ミリセカンド）である。このリリース待機位置で、手ぶれ制御が実行される。
【０１１３】
ついで、手ぶれ補正スイッチＳＷ１４がオフ又は撮影が実行されると、プロセッサ１０４は保持処理を実行する（Ｓ．３）。この保持処理では、プロセッサ１０４の制御により、２００ｐｐｓ（パルスパーセカンド）の緩やかな速度でステッピングモータＳＴＭ１が時計方向に２パルス分回転駆動され、その後、１０００ｐｐｓ（パルスパーセカンド）の早い速度で時計方向に３パルス分回転駆動される。これにより、カムピン３２はカム溝３１の頂上平坦部３１ｂを通過して谷底平坦部３１ａに降下し、谷底平坦部３１ａに当接する。その後、ステッピングモータＳＴＭ１への通電が５ｍｓｅｃ（ミリセカンド）保持される。
【０１１４】
ついで、モータドライブＭＤ１によりステッピングモータＳＴＭ１への通電が停止される。これにより、カムピン３２はカム溝３１の傾斜開始位置３１ｅにセットされ、ＣＣＤ１０１の中央位置が保持される。電源オン中は、いったんリセット処理が実行された場合、このリリース処理と保持待機処理とが実行される。なお、このリリース待機位置から保持待機位置へ移動するのに要する時間は、約１８ｍｓｅｃ（ミリセカンド）である。
【０１１５】
この手ぶれ補正機構によれば、強制押さえ板２６に形成した押圧ピン３３により強制的にＣＣＤ１０１の載置ステージ１５を中央位置に保持する構成であるので、載置ステージ１５の原点位置への保持を持続させるための通電制御が不要となり、手ぶれ補正機構を動作させた場合でもその電力消耗の低減を図ることができる。
【０１１６】
（手ぶれ検出回路の回路構成）
図２７は手ぶれ検出回路の回路構成を示す図である。この手ぶれ検出回路はＸ方向の回転を検出するＸ方向回転検出部と、Ｙ方向の回転を検出するＹ方向回転検出部とから構成されている。
【０１１７】
Ｘ方向回転検出部は、例えば圧電振動ジャイロセンサＳ１Ｂを有し、圧電振動ジャイロセンサＳ１Ｂの第１端子はコンデンサＣ１３を介してアースされている。圧電振動ジャイロセンサＳ１Ｂの第２端子は接続線４２の途中に設けられたコンデンサＣ１０を介してオペレーショナルアンプリファイアＯＰ３の＋端子に接続されている。圧電振動ジャイロセンサＳ１Ｂの第３端子は接続線４３の途中に設けられた抵抗Ｒ２３を介してオペレーショナルアンプリファイアＯＰ３の−端子に接続されている。
【０１１８】
圧電振動ジャイロセンサＳ１Ｂの第４端子は、アースに接続されると共にコンデンサＣ１１を介して接続線４３に接続されている。オペレーショナルアンプリファイアＯＰ３の＋端子は抵抗Ｒ２０を介して接続線４３に接続されている。接続線４２と接続線４３との間には抵抗Ｒ２０と並列に抵抗Ｒ２１と切り替えスイッチＡＳＷ１とからなる直列体が接続されている。
【０１１９】
オペレーショナルアンプリファイアＯＰ３の出力端子はコンデンサＣ１２を介してオペレーショナルアンプリファイアＯＰ３の−端子に接続されている。そのコンデンサＣ１２にはこれと並列に抵抗Ｒ２２が接続されている。そのコンデンサＣ１０と抵抗Ｒ２０とはハイパスフィルターＨＰＦ１を構成し、そのコンデンサＣ１２と抵抗Ｒ２２とはローパスフィルタＬＰＦ１を構成している。オペレーショナルアンプリファイアＯＰ３は圧電振動ジャイロセンサＳ１Ｂの出力を増幅して、オペレーショナルアンプリファイアＯＰ３の出力端子からＸ方向検出信号ＯＵＴ１を出力する。
【０１２０】
Ｙ方向回転検出部は、圧電振動ジャイロセンサＳ２Ａを有し、圧電振動ジャイロセンサＳ２Ａの第１端子はコンデンサＣ１７を介してアースされている。圧電振動ジャイロセンサＳ２Ａの第２端子は接続線４４の途中に設けられたコンデンサＣ１４を介してオペレーショナルアンプリファイアＯＰ４の＋端子に接続されている。圧電振動ジャイロセンサＳ２Ａの第３端子は接続線４５の途中に設けられた抵抗Ｒ２６を介してオペレーショナルアンプリファイアＯＰ４の−端子に接続されている。圧電振動ジャイロセンサＳ２Ａの第４端子はアースに接続されると共にコンデンサＣ１５を介して接続線４５に接続されている。
【０１２１】
オペレーショナルアンプリファイアＯＰ４の＋端子は抵抗Ｒ２４を介して接続線４５に接続されている。接続線４４と接続線４５との間には抵抗Ｒ２４と並列に抵抗Ｒ２５と切り替えスイッチＡＳＷ２とからなる直列体が接続されている。オペレーショナルアンプリファイアＯＰ４の出力端子はコンデンサＣ１６を介してオペレーショナルアンプリファイアＯＰ４の−端子に接続されている。そのコンデンサＣ１６にはこれと並列に抵抗Ｒ２７が接続されている。そのコンデンサＣ１４と抵抗Ｒ２４とはハイパスフィルターＨＰＦ２を構成し、そのコンデンサＣ１６と抵抗Ｒ２７とはローパスフィルタＬＰＦ２を構成している。オペレーショナルアンプリファイアＯＰ４は圧電振動ジャイロセンサＳ２Ａの出力を増幅して、オペレーショナルアンプリファイアＯＰ４の出力端子からＸ方向検出信号ＯＵＴ２を出力する。
【０１２２】
切り替えスイッチＡＳＷ１、ＡＳＷ２には信号線４６を介して切り替え制御信号ＳＷＣ１が入力される。この切り替えスイッチＡＳＷ１、ＡＳＷ２はハイパスフィルターＨＰＦ１、ＨＰＦ２の応答速度を早くするためにコンデンサＣ１１、Ｃ１５の充電を早める機能を有し、プロセッサ１０４は電源オン後一定時間切り替え制御信号ＳＷＣ１を切り替えスイッチＡＳＷ１、ＡＳＷ２に出力し、これにより、切り替えスイッチＡＳＷ１、ＡＳＷ２が一定時間オンされる。ジャイロセンサＳ１Ｂ、Ｓ２Ａの検出出力ＯＵＴ１、ＯＵＴ２はＴ秒ごとにＡ／Ｄ変換器１０４１１に読み込まれる。ここで、
ωｙａｗ（ｔ）…ＹＡＷ方向の瞬間角速度
ωｐｉｔｃｈ（ｔ）…ＰＩＴＣＨ方向の瞬間角速度
θｙａｗ（ｔ）…ＹＡＷ方向の変化角度
θｐｉｔｃｈ（ｔ）…ＰＩＴＣＨ方向の変化角度
Ｄｙａｗ（ｔ）…ＹＡＷ方向の回転に対応して像がＸ方向に移動する量
Ｄｐｉｔｃｈ（ｔ）…ＰＩＴＣＨ方向の回転に対応して像がＹ方向に移動する量
とすると、
θｙａｗ（ｔ）＝Σωｙａｗ（ｉ）・Ｔ
θｐｉｔｃｈ（ｔ）＝Σωｐｉｔｃｈ（ｉ）・Ｔ
の関係式により、θｙａｗ（ｔ）、θｐｉｔｃｈ（ｔ）が求まる。
【０１２３】
また、ズームポイントｚｐ、フォーカスポイントｆｐとから焦点距離ｆが決定され、ＹＡＷ方向の回転に対応して像が移動する量Ｄｙａｗ（ｔ）、ＰＩＴＣＨ方向の回転に対応して像が移動する量Ｄｐｉｔｃｈ（ｔ）とＹＡＷ方向の変化角度θｙａｗ（ｔ）、ＰＩＴＣＨ方向の変化角度θｐｉｔｃｈ（ｔ）との間には、
Ｄｙａｗ（ｔ）＝ｆ＊ｔａｎ（θｙａｗ（ｔ））  …（ｉ）
Ｄｐｉｔｃｈ（ｔ）＝ｆ＊ｔａｎ（θｐｉｔｃｈ（ｔ））…（ｉｉ）
すなわち、ＹＡＷ方向の回転に対応して像がＸ方向に移動する量Ｄｙａｗ（ｔ）、ＰＩＴＣＨ方向の回転に対応して像がＹ方向に移動する量Ｄｐｉｔｃｈ（ｔ）がＣＣＤ１０１をＸ−Ｙ方向に移動させるべき量に対応する。
【０１２４】
手ぶれによりＹＡＷ方向の回転変位とＰＩＴＣＨ方向の回転変位とがあるときには、ＣＣＤの目標位置を上記（ｉ）、（ｉｉ）式によって算出し、位置検出素子１２５２により検出された実際のＣＣＤ１０１のＸ−Ｙ方向の位置と目標値との差がなくなるように、載置ステージ１５を駆動する。この制御はＴ秒間隔で行われる。
【０１２５】
なお、ジャイロセンサＳ１Ｂ、Ｓ２Ａの検出出力が「０」のときは、カメラ本体の並進運動変位Ｘｄに追従してＣＣＤ１０１が並進変位されるように、載置ステージ１５が制御される。
【０１２６】
（手ぶれ補正制御回路）
図２８は手ぶれ補正制御回路の一例を示すブロック図である。この手ぶれ補正制御回路は、フィードバック回路５０と位置対応電圧設定回路５１とから概略構成されている。
【０１２７】
ホール素子Ｈ１、Ｈ２は位置対応電圧設定回路５１の一部を構成している。そのホール素子（１２５２ａ）Ｈ１には一定の電圧Ｖｈ１−が印加されている。ホール素子Ｈ１の一端子は抵抗Ｒ２を介してオペレーショナルアンプリファイアＯＰ１の−端子に接続されている。ホール素子Ｈ１の他端子は抵抗Ｒ３を介してオペレーショナルアンプリファイアＯＰ１の＋端子に接続されている。
【０１２８】
オペレーショナルアンプリファイアＯＰ１の出力端子は抵抗Ｒ５を介してプロセッサ１０４の入力ポートＬ１に接続されている。オペレーショナルアンプリファイアＯＰ１の出力端子は抵抗Ｒ１を介してオペレーショナルアンプリファイアＯＰ１の−端子に接続されている。また、抵抗Ｒ５と入力ポートＬ１との接続点はコンデンサＣ１を介してアースされている。
【０１２９】
ホール素子（１２５２ｂ）Ｈ２には一定の電圧Ｖｈ２−が印加されている。ホール素子Ｈ２の一端子は抵抗Ｒ７を介してオペレーショナルアンプリファイアＯＰ２の−端子に接続されている。ホール素子Ｈ２の他端子は抵抗Ｒ８を介してオペレーショナルアンプリファイアＯＰ２の＋端子に接続されている。
【０１３０】
オペレーショナルアンプリファイアＯＰ２の出力端子は抵抗Ｒ９を介してプロセッサ１０４の入力ポートＬ２に接続されている。オペレーショナルアンプリファイアＯＰ２の出力端子は抵抗Ｒ６を介してオペレーショナルアンプリファイアＯＰ２の−端子に接続されている。また、抵抗Ｒ９と入力ポートＬ２との接続点はコンデンサＣ２を介してアースされている。
【０１３１】
プロセッサ１０４の出力ポートＬ３は位置対応電圧設定回路５１の一部を構成するＤ／Ａ変換回路ＩＣ２に接続され、プロセッサ１０４の出力ポートＬ４、Ｌ６はＤ／Ａ変換回路ＩＣ２とＤ／Ａ変換回路ＩＣ１とに接続されている。プロセッサ１０４の出力ポートＬ５はＤ／Ａ変換回路ＩＣ１に接続されている。
【０１３２】
そのＤ／Ａ変換回路ＩＣ２には２本の出力線６１、６２が接続され、一方の出力線６１は抵抗Ｒ４を介してオペレーショナルアンプリファイアＯＰ１の＋端子に入力されている。他方の出力線６２は抵抗Ｒ１０を介してオペレーショナルアンプリファイアＯＰ２の＋端子に入力されている。
【０１３３】
そのＤ／Ａ変換回路ＩＣ２には出力ポートＬ３からのチップセレクタ信号ＤＩ、出力ポートＬ４からクロック信号ＳＣＬＫ、出力ポートＬ６から補正用デジタルデータＤＩＮが入力され、Ｄ／Ａ変換回路ＩＣ２は補正用デジタルデータをデジタルアナログ変換する機能を有する。
【０１３４】
Ｄ／Ａ変換回路ＩＣ１はフィードバック回路５０の一部を構成している。そのＤ／Ａ変換回路ＩＣ１には１本の共通線６３と２本の出力線６４、６５とが接続されている。共通線６３はコイルドライブ回路ＭＤ１とコイルドライブ回路ＭＤ２とに接続されている。出力線６４は抵抗Ｒ１４を介してコイルドライブ回路ＭＤ１の入力端子Ｌ７に接続されている。出力線６５は抵抗Ｒ１５を介してコイルドライブ回路ＭＤ２の入力端子Ｌ８に接続されている。
【０１３５】
抵抗Ｒ１４と入力端子Ｌ７との接続点はコンデンサＣ３を介してコイルドライブ回路ＭＤ１のアース端子ＥＲ１に接続されている。抵抗Ｒ１５と入力端子Ｌ８との接続点はコンデンサＣ４を介してコイルドライブ回路ＭＤ２のアース端子ＥＲ２に接続されている。共通線６３は、抵抗Ｒ１２および抵抗Ｒ１１を介して電源Ｖｃｃに接続され、この接続点は、抵抗Ｒ１３を介してアースされている。
【０１３６】
そのコイルドライブ回路ＭＤ１、ＭＤ２には、プロセッサ１０４からのコントロール信号ＣＯＮＴ１が共に入力される。そのコイルドライブ回路ＭＤ１の出力端子には抵抗Ｒ１６を介してコイルＣＯＬ１”（コイル体ＣＯＬ１とコイル体ＣＯＬ１’との直列接続体をいう）が接続され、その抵抗Ｒ１６とコイルＣＯＬ１”との直列体に平行にコンデンサＣ５が接続されている。そのコイルドライブ回路ＭＤ２の出力端子には抵抗Ｒ１７を介してコイルＣＯＬ２”（コイル体ＣＯＬ２とコイル体ＣＯＬ２’との直列接続体をいう）が接続され、その抵抗Ｒ１７とコイルＣＯＬ２”との直列体に平行にコンデンサＣ６が接続されている。そのコイルＣＯＬ１”は載置ステージ１５をＸ方向に可動させ、そのコイルＣＯＬ２”は載置ステージ１５をＹ方向に駆動させるのに用いられる。
【０１３７】
ここで、各ホール素子Ｈ１、Ｈ２に所定電圧Ｖｈ１−、Ｖｈ２−を印加し、ジャイロセンサＳ１Ｂ、Ｓ２Ａの検出出力が０でかつＣＣＤ１０１が可動範囲の中心位置（原点）に存在するときのホール素子Ｈ１、Ｈ２の検出出力電圧値をＶｈ１、Ｖｈ２とする。その際のプロセッサ１０４の各入力ポートＬ１、Ｌ２のアナログ出力電圧値をＶ１ＡＤｉｎ、Ｖ２ＡＤｉｎとする。この出力電圧値Ｖ１ＡＤｉｎ、Ｖ２ＡＤｉｎを実際に測定する。
【０１３８】
この出力電圧値（実測値）Ｖ１ＡＤｉｎ、Ｖ２ＡＤｉｎは、マグネット（永久磁石）１６ａ〜１６ｄとホール素子Ｈ１、Ｈ２とのメカニカルな位置関係に関する組み立て誤差要因、載置ステージ１５に対するホール素子Ｈ１、Ｈ２の取り付け位置とコイルＣＯＬ１”、ＣＯＬ２”の取り付け位置との組み立て誤差要因等に基づいてばらついている。また、ホール素子Ｈ１、Ｈ２それ自体の特性によってもばらついている。
【０１３９】
従って、何らの補正も行わないものとすると、ホール素子Ｈ１、Ｈ２の原点位置に対応する検出値が各カメラ毎にばらつくことになり、精確な手ぶれ補正を行うことができないことになる。
【０１４０】
そこで、補正前の出力電圧値Ｖ１ＡＤｉｎ、Ｖ２ＡＤｉｎが一定電圧値（設定基準電圧値）となるようにアナログデジタル変換器ＩＣ２から各オペレーショナルアンプリファイアＯＰ１、ＯＰ２に入力される補正電圧Ｖｒ１’、Ｖｒ２’を設定する。すなわち、ＣＣＤ１０１が原点位置に存在し、ＣＣＤ１０１の非制御時（コイルＣＯＬ１”、ＣＯＬ２”への非通電時）の出力電圧値（検出値）Ｖ１ＡＤｉｎ、Ｖ２ＡＤｉｎのばらつきを補正するために、補正電圧Ｖｒ１’、Ｖｒ２’を設定する。
【０１４１】
ここでは、オペレーショナルアンプリファイアＯＰ１、ＯＰ２の動作可能範囲電圧の略中心の値、例えば１．７ボルトが設定基準電圧値になるように設定するために、プロセッサ１０４は以下に説明する演算を行う。
【０１４２】
ここでは、説明の便宜のため、Ｒ２＝Ｒ３＝Ｒ７＝Ｒ８、Ｒ１＝Ｒ４＝Ｒ１０＝Ｒ６と仮定するが、これに限るものではない。
【０１４３】
各抵抗をＲ２＝Ｒ３＝Ｒ７＝Ｒ８、Ｒ１＝Ｒ４＝Ｒ１０＝Ｒ６と仮定した条件のもとでは、
Ｖ１ＡＤｉｎ＝Ｒ１／Ｒ２＊（（Ｖｈ１＋）−（Ｖｈ１−））＋Ｖｒ１’
Ｖ２ＡＤｉｎ＝Ｒ１／Ｒ２＊（（Ｖｈ２＋）−（Ｖｈ２−））＋Ｖｒ２’
の関係式が成立する。
【０１４４】
プロセッサ１０４は、この関係式に基づいて、補正電圧Ｖｒ１’、Ｖｒ２’を演算により求める。これにより、ＣＣＤ１０１の原点位置におけるホール素子Ｈ１、Ｈ２の検出値がマグネット（永久磁石）１６ａ〜１６ｄとホール素子Ｈ１、Ｈ２とのメカニカルな位置関係に関する組み立て誤差要因、載置ステージ１５に対するホール素子Ｈ１、Ｈ２の取り付け位置とコイルＣＯＬ１”、ＣＯＬ２”の取り付け位置との組み立て誤差要因等に基づいてばらついても一定となる。
【０１４５】
プロセッサ１０４は、そのＤ／Ａ変換回路ＩＣ２と共に、ホール素子Ｈ１、Ｈ２の検出値のばらつきいかんにかかわらず検出値を設定基準電圧値に設定するための補正値を出力するばらつき補正回路の一部を構成し、更には、設定基準電圧値を演算により求める補正値演算手段として機能する。
【０１４６】
この初期設定は、図２９のフローチャートに示すように、カメラの組み立て工場における最終検査である出荷時に設定する（Ｓ．１〜Ｓ．３参照）。
【０１４７】
実際の制御は、図３０のフローチャートに示すように、プロセッサ１０４が手ぶれ検出回路の検出出力ＯＵＴ１、ＯＵＴ２に基づき演算により得られた制御目標値を読み込み（Ｓ．１１）、ついで、ホール素子Ｈ１、Ｈ２により得られた実際の位置対応電圧値Ｖ１ＡＤｉｎ、Ｖ２ＡＤｉｎをプロセッサ１０４が読み込み（Ｓ．１２）、これらによりプロセッサ１０４が制御目標値と位置対応電圧値Ｖ１ＡＤｉｎ、Ｖ２ＡＤｉｎとの差を演算する（Ｓ．１３）。
【０１４８】
プロセッサ１０４はこの差分出力に基づいてデジタルアナログ変換回路ＩＣ１へ制御データを出力する。デジタルアナログ変換回路ＩＣ１はその制御データに対応する制御電圧Ｖｄａｃ１、Ｖｄａｃ２を出力する（Ｓ．１４）。この制御電圧Ｖｄａｃ１、Ｖｄａｃ２はコイルドライブ回路ＭＤ１、ＭＤ２に入力される。コイルドライブ回路ＭＤ１、ＭＤ２は各コイルｃｏｌ１”、ｃｏｌ２”にそれぞれ駆動電圧Ｖｏｕｔ１、Ｖｏｕｔ２を出力する。
【０１４９】
その駆動電圧Ｖｏｕｔ１、Ｖｏｕｔ２は、分圧電圧をＶｒとして、
Ｖｏｕｔ１＝（Ｖｄａｃ１−Ｖｒ）＊Ｋ
Ｖｏｕｔ２＝（Ｖｄａｃ２−Ｖｒ）＊Ｋ
により設定される。
【０１５０】
ここで、符号Ｋは分圧電圧Ｖｒに基づく比例定数である。
【０１５１】
ＣＣＤ１０１はマグネット１６ａ〜１６ｄとコイルＣＯＬ１”、ＣＯＬ２”との磁界により吸引反発されて可動され、駆動電圧Ｖｏｕｔ１、Ｖｏｕｔ２が「正電圧」か「負電圧」であるか否かによって、その可動方向が制御される。これにより、そのホール素子Ｈ１、Ｈ２の検出値が変化する。この検出値の変化に対応して位置対応電圧値Ｖ１ＡＤｉｎ、Ｖ２ＡＤｉｎが変化し、この位置対応電圧値がプロセッサ１０４にフィードバックされるため、手ぶれ検出回路の検出出力値により制御目標値が変化した場合でも、ＣＣＤ１０１を迅速に目標位置に追従移動させることができる（Ｓ．１５）。そして、撮影が完了すると制御が終了する（Ｓ．１６）。
【０１５２】
（変形例）
図３１はフィードバック回路５０の変形例を示す回路図であって、ここでは、プロセッサ１０４がコイルドライバＭＤ４をＰＷＭ制御によって駆動制御することにより、コイルＣＯＬ１”、ＣＯＬ２”への通電制御が行われるようになっている。
【０１５３】
すなわち、そのコイルドライバＭＤ４には、正方向信号ＣＯＮ１と逆方向信号ＣＯＮ２とが入力されると共に、パルス電圧Ｖｉｎ１とパルス電圧Ｖｉｎ２とが入力され、パルス信号のハイレベルの持続時間が長くなるほどコイルＣＯＬ１”、ＣＯＬ２”への通電電圧が高くなる。
【０１５４】
（手ぶれ補正機構オンによる撮影の詳細）
図３２に示すように、手ぶれ補正スイッチＳＷ１４をオンすると（Ｓ．１）、ジャイロセンサＳ１Ｂ、Ｓ２Ａの電源がオンされる（Ｓ．２）。レリーズスイッチＳＷ１を押下して第１段押し下げが完了すると（Ｓ．３）、オートフォーカス動作（合焦動作）が開始される（Ｓ．４）。と同時に、載置ステージ１５のメカニカルな強制固定が解除され、コイルＣＯＬ１”、ＣＯＬ２”への通電によるＣＣＤ中央保持制御が開始される（Ｓ．４）。
【０１５５】
次に、カメラ振動によるモニタリング処理が開始される（Ｓ．５）。プロセッサ１０４はレリーズスイッチＳＷ１の第１段押し下げが続行されているか否かを判断し（Ｓ．６）、レリーズスイッチＳＷ１の第１段押し下げが継続されている場合には、レリーズスイッチＳＷ１の第２段押し下げが実行されたか否かを判断する（Ｓ．７）。レリーズスイッチＳＷ１の第１段押し下げが解除された場合には、ステップＳ．３に戻り、レリーズスイッチＳＷ１の第２段押し下げがされていない場合にはステップＳ．６に戻る。
【０１５６】
レリーズスイッチＳＷ１の第２段押し下げが完了した場合には、ＣＣＤ１０１が像の移動方向に追従を開始し（Ｓ．８）、ついで露光が行われ（Ｓ．９）、露光の終了（Ｓ．１０）と共にＣＣＤ１０１の追従が停止され（Ｓ．１１）、載置ステージ１５がコイルＣＯＬ１”、ＣＯＬ２”への通電制御により原点位置に復帰され（Ｓ．１１）、載置ステージ１５が原点位置に復帰したか否かが判断され（Ｓ．１２）、ＣＣＤメカニカルに原点位置に強制固定される（Ｓ．１３）。
【０１５７】
このレリーズスイッチＳＷ１の操作タイミングには二つの態様が考えられる。
【０１５８】
図３３はレリーズスイッチＳＷ１の二段押しの場合の手ぶれ補正処理のタイミングチャートである。ここで、二段押しとはレリーズスイッチＳＷ１の第１段の押し下げ操作から第２段の押し下げ操作までの間に不連続性を有するレリーズ操作を言う。例えば、第１段の押し下げ後、シャッターチャンスをうかがって第２段の露光開始動作に移行する撮影動作を言う。
【０１５９】
レリーズスイッチＳＷ１の第１段を押し下げると、デジタルカメラの合焦動作が開始される。原点位置強制保持機構１２６３は、この状態ではまだ載置ステージ１５の強制保持を解除していない。コイルＣＯＬ１”、ＣＯＬ２”は非通電状態にある。また、載置ステージ１５はメカニカルに中央位置に固定保持されている状態にある。ＬＣＤモニタ１０には被写体画像が表示されている状態にある。
【０１６０】
合焦動作が完了すると、プロセッサ１０４は原点位置強制保持機構１２６３のステッピングモータＳＴＭ１への通電を開始し、これにより載置ステージ１５のメカニカルな強制保持解除が実行される。と同時に、コイルＣＯＬ１”、ＣＯＬ２”への通電が開始され、コイルＣＯＬ１”、ＣＯＬ２”への通電制御により、レリーズスイッチＳＷ１の第１段押し動作中（レリーズ１）の手ぶれ補正処理が実行される。レリーズスイッチＳＷ２の第２段押し（レリーズ２）が行われると、載置ステージ１５がコイルＣＯＬ１”、ＣＯＬ２”への通電制御によりいったん中央位置に戻された後、間をあけてＬＣＤモニタ１０が消灯され、被写体画像を表示しない状態となる。
【０１６１】
ついで、静止画露光が開始されると共に、載置ステージ１５が手ぶれに基づく像の移動に追従制御される。静止画露光の終了と共に載置ステージ１５がコイルＣＯＬ１”、ＣＯＬ２”への通電制御に基づき中央位置に復帰され、ついで、プロセッサ１０４は、原点位置強制保持機構１２６３のステッピングモータＳＴＭ１への通電を開始し、これにより載置ステージ１５のメカニカルな強制固定が実行される。ついで、コイルＣＯＬ１”、ＣＯＬ２”への通電が停止される。
【０１６２】
このように、レリーズ１中は、ユーザーはカメラがぶれたとしても、ＬＣＤモニタ１０を視認することにより、ぶれのない状態の被写体画像をモニタリングできる。
【０１６３】
また、レリーズ２中に、載置ステージ１５を中央位置にいったん戻すと、レリーズ１中の被写体画像の構図に対してレリーズ２中の構図がずれることになるが、この発明の実施の形態によれば、載置ステージ１５をいったん中央位置に戻した状態で、撮影直前の被写体画像を確認できるため、撮影直前（露光直前）の被写体画像の構図を確認できる。
【０１６４】
レリーズスイッチＳＷ１の第１段を押して第２段を押さずにレリーズスイッチＳＷ１の押し下げを解除した場合には、図３４に示すように、第１段の押し下げと同時に合焦動作が開始され、合焦完了と共にプロセッサ１０４は原点位置強制保持機構１２６３のステッピングモータＳＴＭ１への通電を開始し、これにより載置ステージ１５のメカニカルな強制保持解除が実行される。と同時に、コイルＣＯＬ１”、ＣＯＬ２”への通電が開始され、コイルＣＯＬ１”、ＣＯＬ２”への通電制御により、レリーズスイッチＳＷ１（レリーズ１）の第１段押し動作中の手ぶれ補正処理が実行される。
【０１６５】
このレリーズスイッチＳＷ１の第１段押し動作中にレリーズスイッチＳＷ１の第１段押し動作を解除すると、載置ステージ１５がコイルＣＯＬ１”、ＣＯＬ２”への通電制御に基づき中央位置に復帰され、ついで、プロセッサ１０４は、原点位置強制保持機構１２６３のステッピングモータＳＴＭ１への通電を開始し、これにより載置ステージ１５のメカニカルな固定保持が実行される。ついで、コイルＣＯＬ１”、ＣＯＬ２”への通電が停止される。
【０１６６】
図３５はレリーズスイッチＳＷ１の一気押しの場合の手ぶれ補正処理のタイミングチャートである。ここで、一気押しとはレリーズスイッチＳＷ１の第１段の押し下げ操作（レリーズ１）から第２段の押し下げ操作（レリーズ２）までが連続性を有するレリーズ操作を言う。例えば、第１段の押し下げ後、直ちに第２段の露光開始動作に移行する撮影動作を言う。
【０１６７】
レリーズスイッチＳＷ１の第１段を押し下げると、デジタルカメラの合焦動作が開始される。ＬＣＤモニタ１０には被写体画像が表示されている状態にある。また、レリーズスイッチＳＷ２の第１段の押し下げ後、直ちにレリーズスイッチＳＷ１の第２段の押し下げ動作が実行される。同時に、ＬＣＤモニタ１０が消灯され、被写体画像を表示しない状態となる。
【０１６８】
合焦動作が完了すると、プロセッサ１０４は原点位置強制保持機構１２６３のステッピングモータＳＴＭ１への通電を開始し、これにより載置ステージ１５のメカニカルな保持解除が実行される。と同時に、コイルＣＯＬ１”、ＣＯＬ２”への通電が開始され、コイルＣＯＬ１”、ＣＯＬ２”への通電制御により、載置ステージ１５の中央位置への保持が行われる。これにより、手ぶれ補正処理が実行される。
【０１６９】
載置ステージ１５はコイルＣＯＬ１”、ＣＯＬ２”への通電により中央位置保持が実行され、静止画露光が開始されると共に、載置ステージ１５が手ぶれに基づく像の移動に追従制御される。静止画露光の終了と共に載置ステージ１５がコイルＣＯＬ１”、ＣＯＬ２”への通電制御に基づき中央位置に復帰され、ついで、プロセッサ１０４は、原点位置強制保持機構１２６３のステッピングモータＳＴＭ１への通電を開始し、これにより載置ステージ１５のメカニカルな固定保持が実行される。ついで、コイルＣＯＬ１”、ＣＯＬ２”への通電が停止される。
【０１７０】
このように一気押しの場合、構図の確認はレリーズ１の操作中に完了していると考えられ、レリーズ２中の構図の確認は不要であるため、レリーズ２中にいったん載置ステージ１５を中央位置に戻したとしても構図の再確認を行わせる必要はないと考えられるから、手ぶれ補正制御処理の簡略化を図ることができる。
【０１７１】
また、合焦動作中にＬＣＤモニタ１０を消灯するため、電池の無駄な消耗を回避できる。
【０１７２】
更に、載置ステージ１５が機械的に原点位置に強制押圧された状態のとき、押さえピン３３の周壁３３ａが保護板１９の凹所周壁１９ｂを押圧することにより、Ｙ可動枠である載置ステージ１５のＺ軸方向のガタが抑制される。また、載置ステージ１５が機械的に原点位置に強制押圧されていない状態のとき、付勢マグネット１５ｅ，１５ｆがヨーク１６ｅ，１６ｆの延出部１６ｅ２，１６ｆ２に吸引保持されるので、載置ステージ１５のＺ軸方向のガタが抑制される。押さえピン３３による押圧方向と付勢マグネット１５ｅ，１５ｆによる吸着方向を同じ向きにすることにより、振れ補正動作中と、強制押圧されて振れ補正動作していない時とでＣＣＤ１０１が光軸(Ｚ軸方向)に移動することがなく、焦点位置が一定に保たれる。
【０１７３】
本発明に係る手ぶれ補正装置では、付勢マグネット１５ｅ，１５ｆがＺ軸方向で対応するヨーク１６ｅ，１６ｆの延出部１６ｅ２，１６ｆ２に吸引されるので、載置ステージ１５をＹ方向ステージ１４及びＸ方向ステージ１３からなる案内ステージに引き付ける、すなわち載置ステージ１５をＸ方向ステージ１３に引き付けることができ、Ｚ軸方向で見た載置ステージ１５の位置を案内ステージに接する位置（Ｙ方向ステージ１４を介在させてＸＸ方向ステージ１３に接する位置）に規定することができる。よって、載置ステージ１５に搭載されたＣＣＤ１０１（撮像素子）にＺ軸方向(撮影光軸方向)へのガタが生じることを防止することができ、ＣＣＤ１０１が適切な焦点距離で受光することができる。なお、延出部１６ｅ２，１６ｆ２は、少なくとも付勢マグネット１５ｅ，１５ｆが移動する領域に設けられているので、像振れ補正のために付勢マグネット１５ｅ，１５ｆがＹ方向に移動されても、付勢マグネット１５ｅ，１５ｆと延出部１６ｅ２，１６ｆ２との間で吸引力を作用させることができる。
【０１７４】
上記した実施の形態では、載置ステージ１５に各コイル体ＣＯＬ１、ＣＯＬ１’および各コイル体ＣＯＬ２、ＣＯＬ２’が設けられ、案内ステージを構成するＸ方向ステージ１３に各永久磁石１６ａ〜１６ｄが設けられていたが、載置ステージ１５に各永久磁石１６ａ〜１６ｄが設けかつＸ方向ステージ１３に各コイル体ＣＯＬ１、ＣＯＬ１’および各コイル体ＣＯＬ２、ＣＯＬ２’を設ける構成であってもよく、上記した実施の形態に限定されるものではない。
【０１７５】
上記した実施の形態では、ジャイロセンサ１２４１がＸ方向とＹ方向との回転を検出することによりカメラ本体（本体ケース）に生じた手ぶれを検出していたが、例えば、モニタリング画像を画像処理することにより手ぶれを検出してもよく、上記した実施の形態に限定されるものではない。
【０１７６】
上記した本実施の形態では、案内ステージは、載置ステージ１５をＹ軸方向に移動可能に支持するＹ方向ステージ１４と、Ｙ方向ステージ１４をＸ軸方向に移動可能に支持するＸ方向ステージ１３とにより構成されていたが、載置ステージ１５をＸ−Ｙ平面に沿って移動可能に保持し、かつ本体ケース内で撮影光軸に対して固定されているものであればよく、上記した実施の形態に限定されるものではない。
【０１７７】
なお、ここでは撮像素子であるＣＣＤ１０１をカメラの傾き（振れ）に対して移動することにより像振れ補正する像振れ補正装置をカメラに適用した例について述べたが、本発明の像振れ補正装置においてＣＣＤ１０１の代わりにレンズを搭載し、当該レンズをカメラの傾き（振れ）に対して移動させて補正する像振れ補正装置を適用することもできる。その場合はレンズ鏡胴内の適当なレンズ枠に本発明の像振れ補正装置を適用すれば良い。
【０１７８】
例えば、図３６及び図３７は上記構成を採る本発明の像振れ補正装置を適用可能なレンズ鏡胴の構成を示す。図３６は、レンズ鏡胴の主要な構成を模式的に示す縦断面図、そして図３７は、図３６のレンズ鏡胴の詳細な構成を模式的に示す分解斜視図である。
図３６及び図３７に示すレンズ鏡胴は、第１群光学系Ｌ１、第２群光学系Ｌ２、第３群光学系Ｌ３、固定筒Ｌ４、カム筒Ｌ５、第１群駆動ピンＬ６、ＤＣモータＬ７、ギヤ列Ｌ８、絞りＬ９、スプリングＬ１０、リードスクリューＬ１１、主軸Ｌ１２、副軸Ｌ１３、パルスモータＬ１４、フォトインタラプタＬ１５、Ｌ１６、第２群駆動ピンＬ１７及びベースＬ１８を具備している。
レンズを搭載した本発明の像振れ補正装置を、例えばＸＹ方向に移動自在な合焦用の第３群光学系Ｌ３に配置すると良い。
【図面の簡単な説明】
【０１７９】
【図１】本発明に係る像振れ補正装置であるＣＣＤステージの分解斜視図である。
【図２】本発明に係る像振れ補正装置の断面構成図（１）である。
【図３】永久磁石とヨークと付勢マグネットの配置を示す拡大斜視図である。
【図４】永久磁石と付勢マグネットの磁石の配置を光軸方向から見た図である。
【図５】永久磁石ピースと永久磁石との間で働く力を示す模式図である。
【図６】本発明に係る像振れ補正装置の断面構成図（２）である。
【図７】本発明に係る像振れ補正装置の断面構成図（３）である。
【図８】本発明に係る撮像装置であるデジタルカメラの正面図である。
【図９】本発明に係る撮像装置であるデジタルカメラの背面図である。
【図１０】本発明に係る撮像装置であるデジタルカメラの上面図である。
【図１１】本発明に係る撮像装置であるデジタルカメラの内部のシステム構成の概要を示すブロック回路図である。
【図１２】本発明に係る撮像装置であるデジタルカメラの一般的動作概要を説明するためのフローチャートである。
【図１３】本発明に係る撮像装置であるデジタルカメラの手ぶれ補正の原理を説明するための図であって、（ａ）はデジタルカメラの傾きを示し、（ｂ）はそのデジタルカメラの撮影レンズとＣＣＤの撮像面との関係を示す部分拡大図である。
【図１４】本発明に係わるデジタルカメラのレンズ鏡胴の固定筒を示す正面図である。
【図１５】図１４に示す固定筒の縦断面図である。
【図１６】図１４に示す固定筒の背面図であって、（ａ）はフレキシブルプリント基板を取り付けてない状態を示す図であり、（ｂ）はフレキシブルプリント基板を取り付けた状態を示す図である。
【図１７】図１６（ｂ）のＩＩ−ＩＩ線に沿う部分拡大断面図である。
【図１８】本発明に係わる原点位置強制保持機構の要部を示す説明図であって、（ａ）はＣＣＤステージとステッピングモータと変換機構との連結関係を示す斜視図、（ｂ）はその変換機構の部分を拡大して示す斜視図である。
【図１９】回転伝達ギヤのカム溝を示す模式図であって、（ａ）は回転伝達ギヤの底面図であり、（ｂ）は（ａ）に記載の環状の一点鎖線Ｖに沿って得られた断面を示した図であり、（ｃ）はカムピンがカム溝の傾斜面部を摺動して回転伝達ギヤがベース部材に向かって押し上げられた状態を示し、（ｄ）はカムピンがカム溝の頂上平坦部に当接して回転伝達ギヤが最も押し上げられた状態を示し、（ｅ）はカムピンが絶壁を通過して谷底平坦部に当接して回転伝達ギヤが最も押し下げられた状態を示している。
【図２０】図１８（ａ）に示す押さえピンと凹所との嵌合状態を説明するための説明図であって、（ａ）は押さえピンと凹所周壁との密接状態を示す部分拡大断面図であり、（ｂ）は押さえピンと凹所周壁との離間状態を示す部分拡大断面図である。
【図２１】折り曲げ前のフレキシブルプリント基板を示し、表側から見た図である。
【図２２】折り曲げ前のフレキシブルプリント基板のＣＣＤステージへの取り付け状態を示す図である。
【図２３】プリント基板の連結延在部の重ね合わせ状態を示す図である。
【図２４】ＣＣＤステージとフレキシブルプリント基板との配置関係を模式的に示す斜視図であり、（ａ）、（ｂ）、（ｃ）はこれらを異なる方向から見た図である。
【図２５】本発明に係わる原点位置強制保持制御回路のブロック回路図である。
【図２６】本発明に係わる手ぶれ補正機構の原点位置強制保持機構の制御処理の一例を示すフローチャートである。
【図２７】本発明に係わる手ぶれ検出回路の一例を示す回路図である。
【図２８】本発明に係わる手ぶれ補正制御回路のブロック回路図である。
【図２９】本発明に係わるばらつき補正設定処理の一例を示すフローチャートである。
【図３０】本発明に係わる手ぶれ補正制御回路の処理の一例を示すフローチャートである。
【図３１】図２６に示すフィードバック回路の変形例を示すブロック回路図である。
【図３２】本発明に係わる撮像装置の手ぶれ補正処理の一連の流れを示すフローチャートである。
【図３３】本発明に係る撮像装置の二段押しの場合の手ぶれ補正処理の一例を示すタイミングチャートである。
【図３４】本発明に係る撮像装置の手ぶれ補正処理の解除処理の一例を示すタイミングチャートである。
【図３５】本発明に係る撮像装置の一気押しの場合の手ぶれ補正処理の一例を示すタイミングチャートである。
【図３６】本発明の像振れ補正装置に係わるレンズ鏡胴の主要な構成を模式的に示す縦断面図である。
【図３７】本発明の像振れ補正装置に係わるレンズ鏡胴の詳細な構成を模式的に示す分解斜視図である。
【符号の説明】
【０１８０】
１０１    （撮像素子としての）ＣＣＤ
１２４１    手ぶれ検出センサ
１２５１    ＣＣＤステージ
１２５２    位置検出素子
１２５２ａ    Ｘ位置センサ
１２５２ｂ    Ｙ位置センサ
１２６３    原点位置強制保持機構
１３    Ｘ方向ステージ
１３ａ、１３ｂ    ガイド軸（Ｘ方向）
１４    Ｙ方向ステージ
１４ａ、１４ｂ    ガイド軸（Ｙ方向）
１５    載置ステージ
１５ｅ、１５ｆ    付勢マグネット
１５０ａ、１５０ｂ、１５０ｃ、１５０ｄ    コイル取付板部
１６ａ、１６ｂ、１６ｂ’、１６ｃ、１６ｄ、１６ｉ、１６ｊ    永久磁石（駆動用）
１６ａ１、１６ａ２    永久磁石ピース
１６ｅ、１６ｆ、１６ｇ、１６ｈ、１６ｍ、１６ｎ    ヨーク
１６ｅ１、１６ｆ１、１６ｆ１’    ヨーク部
１６ｅ２、１６ｆ２、１６ｆ２’    延出部
１７ａ、１７ａ’、１７ｂ、１７ｂ’    ガイド（Ｘ方向）
１９    保護板
１９ａ    凹所
ＣＯＬ１、ＣＯＬ１’、ＣＯＬ２、ＣＯＬ２’    コイル体（駆動用）
【図１】
2008051927.tif 000003
【図２】
2008051927.tif 000004
【図３】
2008051927.tif 000005
【図４】
2008051927.tif 000006
【図５】
2008051927.tif 000007
【図６】
2008051927.tif 000008
【図７】
2008051927.tif 000009
【図８】
2008051927.tif 000010
【図９】
2008051927.tif 000011
【図１０】
2008051927.tif 000012
【図１１】
2008051927.tif 000013
【図１２】
2008051927.tif 000014
【図１３】
2008051927.tif 000015
【図１４】
2008051927.tif 000016
【図１５】
2008051927.tif 000017
【図１６】
2008051927.tif 000018
【図１７】
2008051927.tif 000019
【図１８】
2008051927.tif 000020
【図１９】
2008051927.tif 000021
【図２０】
2008051927.tif 000022
【図２１】
2008051927.tif 000023
【図２２】
2008051927.tif 000024
【図２３】
2008051927.tif 000025
【図２４】
2008051927.tif 000026
【図２５】
2008051927.tif 000027
【図２６】
2008051927.tif 000028
【図２７】
2008051927.tif 000029
【図２８】
2008051927.tif 000030
【図２９】
2008051927.tif 000031
【図３０】
2008051927.tif 000032
【図３１】
2008051927.tif 000033
【図３２】
2008051927.tif 000034
【図３３】
2008051927.tif 000035
【図３４】
2008051927.tif 000036
【図３５】
2008051927.tif 000037
【図３６】
2008051927.tif 000038
【図３７】
2008051927.tif 000039